(57)【要約】  複数の画像を比較する際の効率を高めることができる画像表示装置および撮像装置を提供する。デジタルカメラ（２００）は液晶モニタ（１６）とボディーマイコン（１２）と画像表示制御部（１５とを備えている。ボディーマイコン（１２）は表示管理部（１２ａ）と選択部（１２ｂ）とを有している。液晶モニタ（１６）は記録媒体に記録された画像を表示する第１表示領域（１６ａ）および第２表示領域（１６ｂ）を有している。表示管理部（１２ａ）は、記録媒体に記録されている複数の画像のうち、所定のモード中に液晶モニタ（１６）に未だ表示されていない少なくとも１枚の画像を表示対象として管理する。選択部（１２ｂ）は表示対象から液晶モニタ（１６）に表示する画像を選択画像として選択する。画像表示制御部１５は選択画像を第１表示領域（１６ａ）または第２表示領域（１６ｂ）に表示させる。
2009116260.tif 000002
【特許請求の範囲】
【請求項１】
複数の画像を記録するための記録部と、
前記記録部に記録された画像を表示する第１表示領域および第２表示領域を有する表示部と、
前記記録部に記録された前記複数の画像のうち、所定のモード中に前記表示部に未だ表示されていない少なくとも１枚の画像を、表示対象として管理する表示管理部と、
前記表示部に表示する画像を選択画像として前記表示対象から選択する選択部と、
前記選択画像を前記第１表示領域または前記第２表示領域に表示させる画像表示制御部と、
を備えた画像表示装置。
【請求項２】
前記表示管理部は、前記第１表示領域または前記第２表示領域に表示されている画像あるいは表示予定の画像を前記表示対象から除外する、
請求項１に記載の画像表示装置。
【請求項３】
前記記録部に記録されている前記複数の画像のうち２枚の画像を、前記第１表示領域および前記第２表示領域に表示する画像として、基準画像および比較画像に設定する設定部をさらに備え、
前記表示管理部は、前記設定部により設定された前記基準画像および前記比較画像を前記表示対象から除外する、
請求項２に記載の画像表示装置。
【請求項４】
前記第１表示領域および前記第２表示領域に表示される２枚の画像のうち一方の画像を選択するための第１操作情報の入力を受け付ける第１操作部をさらに備え、
前記第１操作情報が前記基準画像を選択する情報である場合、前記設定部は、前記選択画像を前記比較画像に設定し、
前記第１操作情報が前記比較画像を選択する情報である場合、前記設定部は、前記比較画像として設定されている画像を新たに前記基準画像に設定し、前記選択画像を前記比較画像に設定する、
請求項３に記載の画像表示装置。
【請求項５】
前記第１表示領域および前記第２表示領域に表示される２枚の画像のうち一方の画像を選択するための第１操作情報の入力を受け付ける第１操作部をさらに備え、
前記表示管理部は、前記第１操作情報を利用して前記表示対象を管理する、
請求項１または２に記載の画像表示装置。
【請求項６】
前記第１操作情報が、前記第１表示領域および前記第２表示領域に表示される２枚の画像のうち一方の画像を選択する情報である場合、前記表示管理部は、前記第１表示領域および前記第２表示領域に表示される２枚の画像のうち他方の画像を表示対象から除外する、
請求項５に記載の画像表示装置。
【請求項７】
前記表示管理部は、前記選択画像を前記表示対象から除外する、
請求項２に記載の画像表示装置。
【請求項８】
前記表示管理部は、前記表示対象として管理されている画像の識別情報を記憶する、
請求項１から７のいずれかに記載の画像表示装置。
【請求項９】
前記記録部は、前記画像が取得された際の撮影条件を前記画像とともに記録し、
前記選択部は、前記撮影条件に基づいて前記表示対象から前記選択画像を選択する、
請求項１から８のいずれかに記載の画像表示装置。
【請求項１０】
前記第１表示領域または前記第２表示領域に表示されている画像を選択する第２操作情報の入力を受け付ける第２操作部をさらに備え、
前記表示管理部は、前記第２操作部を用いて選択された画像を、前記表示対象に設定する、あるいは、前記表示対象として除外しない、
請求項１から９のいずれかに記載の画像表示装置。
【請求項１１】
被写体の光学像を形成する光学系と、
前記光学像を画像信号に変換し前記被写体の画像を取得する画像取得部と、
前記画像取得部により取得された前記画像を表示するための装置であって、請求項１から１０のいずれかに記載の画像表示装置と、
を備えた撮像装置。
【発明の詳細な説明】
【技術分野】
【０００１】
技術分野は、複数の画像を並べて表示できる画像表示装置および撮像装置に関する。
【背景技術】
【０００２】
近年、被写体の光学的な像を電気的な画像信号に変換して出力可能な撮像装置が急速に普及している。撮像装置としては、例えばデジタルスチルカメラが考えられる。デジタルスチルカメラの特徴の一つとして、ユーザーが撮影時に画像表示装置（例えば、画像表示用液晶モニタ）を見ながら撮影し、撮影後にすぐに撮影画像を確認できることが挙げられる。
デジタルスチルカメラによって撮影された画像は、撮影条件によって異なったものとなる。例えは、絞り値を変えることによって被写界深度が変化し、焦点を合わせた被写体の背景のぼけ具合を変えることができる。撮影画像の変化を確認する方法として、開放絞りにより撮影された画像信号と設定された絞り値により撮影された画像信号とを記憶し、一方の画像の一部を他方の画像に置き換えて表示装置に合成表示する撮像装置が提案されている（例えば、特許文献１参照）。
【特許文献１】特開２０００−１２５１５３号公報
【特許文献２】特開２００６−２３６８６号公報
【特許文献３】特開２００３−１８６４６１号公報
【発明の開示】
【０００３】
しかしながら、上記特許文献１に記載のカメラでは、３枚以上の画像を順次比較して１枚の画像を効率的に選択することができない。
そこで、複数の画像を比較できる画像表示装置が提案されている（例えば、特許文献２および３参照）。これらの画像表示装置では、関連のある複数の画像を並べて表示することができ、画像を比較する際に便利である。
しかし、複数の画像を並べて比較する際には、表示されている画像がすでに比較した画像か否かが把握しにくいため、同じ画像に対して重複して比較作業を行う場合が考えられる。このような重複作業は複数の画像を比較する際の効率を低下させる。
本発明の課題は、複数の画像を比較する際の効率を高めることができる画像表示装置および撮像装置を提供することにある。
【０００４】
第１の特徴に係る画像表示装置は、記録部と、表示部と、表示管理部と、選択部と、画像表示制御部と、を備えている。記録部は複数の画像を記録する。表示部は、記録部に記録された画像を表示する第１表示領域および第２表示領域を有している。表示管理部は、記録部に記録された複数の画像のうち、所定のモード中に表示部に未だ表示されていない少なくとも１枚の画像を表示対象として管理する。選択部は表示対象から表示部に表示する画像を選択画像として選択する。画像表示制御部は選択画像を第１表示領域または第２表示領域に表示させる。
この画像表示装置では、記録部に記録された複数の画像のうち所定モード中に表示部に未だ表示されていない少なくとも１枚の画像を、表示管理部が表示対象として管理する。表示対象から表示部に表示する画像が選択画像として選択部により選択され、選択画像が画像表示制御部により第１表示領域または第２表示領域に表示される。これらの構成により、表示部には、すでに表示された画像は表示されずに、未だ表示されていない画像を表示することができる。これにより、同じ画像を再度比較する重複作業の発生を防止でき、画像を比較する際の効率を高めることができる。
【０００５】
ここで、「所定のモード」としては、例えば、複数の画像を並べて表示して比較するモードのように、表示対象の管理が必要とされるモードが考えられる。「表示対象を管理」とは、例えば、未表示の画像を表示対象に設定したり、あるいは、すでに表示された画像を表示対象から除外したり、さらには、すでに表示された画像を何らかの条件に基づいて表示対象に再設定したりすることを意味している。
第２の特徴に係る撮像装置は、光学系と、画像取得部と、第１の特徴に係る画像表示装置と、を備えている。光学系は被写体の光学像を形成する。画像取得部は、光学像を画像信号に変換し、被写体の画像を取得する。画像表示装置は画像取得部により取得された画像を表示する。
この撮像装置では、第１の特徴に係る画像表示装置を備えているため、画像を比較する際の効率を高めることができる。
【０００６】
ここで、画像表示装置としては、例えはコンパクトデジタルカメラ、交換レンズ式デジタルカメラおよびデジタルビデオカメラのような画像を表示できる装置が考えられる。また、撮像装置は、コンパクトデジタルカメラ、交換レンズ式デジタルカメラおよびデジタルビデオカメラのように、静止画のみ撮影可能な装置、動作のみ撮影可能な装置、および、静止画および動画を撮影可能な装置が考えられる。
【図面の簡単な説明】
【０００７】
【図１】デジタルカメラの全体構成図
【図２】ファインダ撮影モードを説明する概念図
【図３】モニタ撮影モードを説明する概念図
【図４】デジタルカメラの上面図
【図５】デジタルカメラの背面図
【図６】カメラ本体の制御システムを示すブロック図
【図７】交換レンズユニットの制御システムを示すブロック図
【図８】撮影画像の記録用フォルダ構成を説明する概念図
【図９】比較再生モードのフローチャート
【図１０】比較再生モード（拡大表示モード）のフローチャート
【図１１】一連の画像を選択するためのサムネイル表示を示す図
【図１２】（Ａ）および（Ｂ）基準画像を選択する操作時の表示例
【図１３】（Ａ）および（Ｂ）比較画像を選択する操作時の表示例
【図１４】拡大対象領域を選択する操作時の表示例
【図１５】拡大表示の表示例
【図１６】（Ａ）および（Ｂ）画像選択過程において比較画像を変更した操作時の表示例
【図１７】拡大表示モード中の比較画像を変更する操作時の表示例
【図１８】画像比較選択モードのフローチャート
【図１９】（Ａ）および（Ｂ）画像比較選択モードの表示例
【図２０】（Ａ）および（Ｂ）画像比較選択モードの表示例
【図２１】画像比較選択モードのフローチャート（他の実施形態）
【符号の説明】
【０００８】
Ｌ  光学系
Ｘ  光路
２  交換レンズユニット
４  クイックリターンミラー
９  ファインダ接眼窓
１１  撮像センサ（画像取得部の一例）
１２  ボディーマイコン
１２ａ  表示管理部
１２ｂ  選択部
１２ｃ  設定部
１５  画像表示制御部
１６  液晶モニタ（表示部の一例）
１６ａ  第１表示領域
１６ｂ  第２表示領域
１８  画像記録部（記録部の一例）
３０  レリーズボタン
３１  シャッタースピード設定ダイヤル
６９  表示操作部（第１操作部の一例）
７１  撮影／再生モード切り替えレバー
７２  ＭＥＮＵボタン
７４  ＳＥＴボタン（第２操作部の一例）
７５  撮影条件決定部
７６  深度確認モードボタン
７９  拡大モードボタン
２００  デジタルカメラ（撮像装置の一例）
【発明を実施するための最良の形態】
【０００９】
＜1：デジタルカメラの全体構成＞
（１．１：全体構成）
本実施形態に係るデジタルカメラ２００について説明する。図１にデジタルカメラ２００の全体構成図を示す。
図１に示すデジタルカメラ２００（撮像装置の一例）は、交換レンズ式のデジタル一眼レフレックスカメラであり、カメラ本体１と交換レンズユニット２とを備えている。
カメラ本体１と交換レンズユニット２とは、交換レンズユニット２のレンズマウント２１の電気接片（図示せず）と、カメラ本体１のボディーマウント２３の電気接片（図示せず）とを介して、各種の制御信号の通信を行う。
（１．２：交換レンズユニットの構成）
交換レンズユニット２は、レンズマウント２１を有し、レンズマウント２１を介してカメラ本体１の前面に設けられたボディーマウント２３に取り外し可能に装着される。【００１０】
交換レンズユニット２は、主に、デジタルカメラ２００の撮像センサ１１（後述）に被写体像を結ぶための光学系Ｌと、光学系Ｌの絞り値を調整するための絞り設定部２９と、交換レンズユニット２の各種シーケンスを制御するレンズマイコン２０と、を有している。
光学系Ｌは、ズームレンズ群（図示せず）と、フォーカスレンズ群２５と、絞りユニット２８とを有している。交換レンズユニット２内には、フォーカスレンズ群２５を駆動制御するフォーカス制御部２６が搭載されている。
絞り設定部２９は、主に、ユーザーが回転操作することで絞り値を入力することができる絞りリング４０と、絞りリング４０の回転角度に応じた物理量を出力する絞りリニアセンサ（図示せず）と、絞りユニット２８の絞り羽根を駆動する絞り駆動モータ２８ｂと、設定された絞り値となるように絞りを調整する絞り制御部２７と、を有している。【００１１】
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、ＲＯＭおよびＲＡＭ（図示せず）が搭載されており、メモリに格納されたプログラムがＣＰＵに読み込まれることで、様々な機能を実現することができる。レンズマイコン２０は、フォーカス制御部２６、絞り制御部２７、シフト制御部（図示せず）等に対し、例えば制御信号やコマンドを出力することで、フォーカス制御部２６、絞り制御部２７、シフト制御部（図示せず）等にそれぞれの制御を実行させる。
また、レンズマイコン２０は、ボディーマイコン１２とインターフェースを介して接続され、ボディーマイコン１２との間で通信を行う。レンズマイコン２０は交換レンズユニット２に関する各種レンズ情報を保持している。レンズ情報は例えばＲＯＭに格納されている。【００１２】
（１．３：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２と、を有している。
カメラ本体１内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。【００１３】
画像表示制御部１５は、撮像センサ１１から読み出された画像データに対して所定の画像処理が行われた後、液晶モニタ１６に撮影画像が表示されるよう液晶モニタ１６を制御する。後述する画像比較選択モードでは、画像表示制御部１５は、選択部１２ｂ（後述）により選択された画像（選択画像の一例、表示予定の画像の一例）を液晶モニタ１６の第１表示領域１６ａまたは第２表示領域１６ｂに表示させる。また、画像表示制御部１５は、表示操作部６９に入力された情報に基づいて、第１表示領域１６ａおよび第２表示領域１６ｂのうち表示操作部６９により選択された領域とは異なる領域に、選択部１２ｂにより新たに選択された画像を表示させる。画像比較選択モードの詳細は後述する。
クイックリターンミラー４は、主に、入射光を反射および透過可能なメインミラー４ａと、メインミラー４ａの背面側に設けられメインミラー４ａからの透過光を反射するサブミラー４ｂと、を有しており、クイックリターンミラー制御部（図示せず）により光路Ｘ外に跳ね上げが可能である。クイックリターンミラー４は、図２に示す光路Ｘの中に置かれる位置と、図３に示す光路Ｘの外に置かれる位置とを移動可能に設置されている。|
交換レンズユニット２を通過した被写体光は、メインミラー４ａにより２つの光束に分割され、反射光束はファインダ光学系１９へ導かれ、透過光束は、サブミラー４ｂで反射されて、焦点検出用ユニット５に導かれる。【００１４】
ファインダ光学系１９は、主に、被写体像が結像されるファインダースクリーン６と、被写体像を正立像に変換するペンタプリズム７と、被写体の正立像をファインダ接眼窓９に導く接眼レンズ８と、ユーザーが被写体像を観察するファインダ接眼窓９とを有している。メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部は、主に、撮像センサ１１と、撮像センサ１１を制御する撮像センサ制御部１３と、を有しており、被写体像を撮影画像として取得する。撮像部により、入射光による被写体像（被写体の光学像）が、撮影画像を形成する電気的な画像信号に変換される。【００１５】
表示部は、モニタの一例としての液晶モニタ１６と、液晶モニタ１６の動作を制御する画像表示制御部１５と、を有している。液晶モニタ１６は、第１表示領域１６ａと第２表示領域１６ｂとを含む表示領域を有し、撮像部で取得した撮像画像（あるいは、記録媒体に記録されている画像）を画像表示領域１００に表示する。なお、液晶モニタ１６は画像を表示するモニタの一例であり、例えば、有機ＥＬ、無機ＥＬ、プラズマディスプレイパネル等を用いてもよい。
画像記録部１８は、例えば、内部メモリやリムーバブルメモリなどの記録媒体（図示せず）に撮影画像の記録を行ったり、記録媒体から撮影画像を読み出したりする。画像記録部１８には、リムーバブルメモリを取り外し可能に装着することができる。画像記録部１８の記録および読み出しは画像記録制御部１７により制御される。画像記録部１８および記録媒体により複数の画像を記録する記録部が形成されている。【００１６】
リムーバブルメモリは、画像データまたはその画像データに所定の処理が施された画像データを記憶可能である。また、デジタル化された音声信号等も記憶可能である。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。
ボディーマイコン１２は、例えば、表示管理部１２ａ、選択部１２ｂおよび設定部１２ｃの機能を有している。具体的には、表示管理部１２ａは、画像記録部１８に記録された複数の画像のうち、画像比較選択モード（所定のモードの一例）中に液晶モニタ１６に未だ表示されていない画像を、表示対象として管理する。具体的には、表示管理部１２ａは、例えば表示対象として管理されている画像のファイル名を識別情報として記憶する。また、表示管理部１２ａは、液晶モニタ１６に表示された画像のファイル名を記憶領域から消去することで、画像比較選択モードにおいて液晶モニタ１６に表示された画像を表示対象から除外する。つまり、表示管理部１２ａに記憶されているファイル名は、画像比較選択モード中に液晶モニタ１６に表示されていない画像を示しており、表示管理部１２ａに記憶されていないファイル名は、画像比較選択モード中に液晶モニタ１６にすでに表示された画像を示している。【００１７】
以上のように、「表示対象の管理」とは、例えば、未表示の画像を表示対象に設定したり、あるいは、すでに表示された画像を表示対象から除外したりすることを意味している。
選択部１２ｂは、表示管理部１２ａにより管理されている表示対象から、液晶モニタ１６に表示する画像を選択画像として選択する。表示対象として複数の画像が存在する場合、選択部１２ｂは、画像とともに記録された撮影条件に基づいて表示対象から画像を選択する。本実施形態では、選択部１２ｂは、絞り値が最も小さい画像を表示対象から選択する。表示管理部１２ａおよび選択部１２ｂによる処理が行われる画像比較選択モードについては後述する。
設定部１２ｃは、比較再生モードおよび画像比較選択モードにおいて、画像記録部１８に記録されている複数の画像のうち２枚の画像を、第１表示領域１６ａおよび第２表示領域１６ｂに表示する画像として、基準画像および比較画像に設定する。例えば、表示操作部６９を用いてユーザーに選択された画像を基準画像に設定し、選択部１２ｂにより選択された画像を比較画像に設定する。【００１８】
ボディーマイコン１２は、シャッター制御部１４、撮像センサ制御部１３、画像表示制御部１５、画像記録制御部１７等に対し、例えば制御信号やコマンドを出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
（１．４：ファインダ撮影モードとモニタ撮影モード）
このデジタルカメラ２００は、撮影モードとして、ファインダ撮影モードとモニタ撮影モードとを有する。ファインダ撮影モードは、ユーザーがファインダ接眼窓９を介して被写体を観察しながら撮影する撮影モードであり、従来の一眼レフカメラにおける通常の撮影モードである。【００１９】
このファインダ撮影モードにおいては、図２に示すように、クイックリターンミラー４は、光路Ｘ内の所定位置に配置されており、被写体光は、ファインダ光学系１９に導かれるので、ユーザーは、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
一方、モニタ撮影モードは、ユーザーが液晶モニタ１６に表示される被写体を観察しながら撮影するモードである。モニタ撮影モードにおいては、図３に示すように、クイックリターンミラー４が光路Ｘ内から退避する。液晶モニタ１６には、撮像センサ１１を介して被写体の画像が表示される。
（１．５：デジタルカメラの上面の構成）
図４はデジタルカメラ２００の上面図である。なお、図４に示すように、Ｘ軸、Ｙ軸およびＺ軸を定義する。すなわち、光学系Ｌを構成するレンズ（図示せず）の光軸と平行にＺ軸を定義し、撮影画像の長辺方向と平行にＹ軸を定義し、撮影画像の短辺方向と平行にＸ軸を定義する。【００２０】
デジタルカメラ２００は、被写体を撮影する際にユーザーにより支持される筐体を有する。このカメラ本体１は、レリーズボタン３０と、シャッタースピード設定ダイヤル３１と、を有している。シャッタースピード設定ダイヤル３１はシャッタースピードの設定を行う操作部材である。
また、カメラ本体１は、液晶モニタ１６を含む。液晶モニタ１６は、カメラ本体１のユーザー側の面に設けられている。液晶モニタ１６の作用については後述する。
交換レンズユニット２は、最も被写体側（Ｚ軸方向正側）に、フィルタマウント３７を持つ。交換レンズユニット２は、フィルタマウント３７からカメラ本体１側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。【００２１】
ズームリング３８は、ズーミング操作を受け付ける操作部材である。ユーザーによりズームリング３８が回転操作されると、デジタルカメラ２００はズーミング、すなわち、光学系Ｌの焦点距離の変更を行う。
フォーカスリング３９は、焦点調節動作を受け付ける操作部材である。ユーザーによりフォーカスリング３９が回転操作されると、デジタルカメラ２００は焦点調節動作、すなわち、光学系Ｌの物点距離の変更を行う。
絞りリング４０は、しぼり値設定動作を受け付ける操作部材である。ユーザーにより絞りリング４０が回転操作されると、デジタルカメラ２００は設定された絞り値となるように絞りを調整する。
（１．６：デジタルカメラの背面の構成）
図５は、本実施形態に係るデジタルカメラ２００の背面図である。カメラ本体１は、電源ボタン７０、撮影／再生モード切り替えレバー７１、ＭＥＮＵボタン７２、十字操作キー７３、ＳＥＴボタン７４、深度確認ボタン７６、撮影モード切り替えボタン７５、及び拡大モードボタン７９を有している。【００２２】
電源ボタン７０は、デジタルカメラ２００の電源のＯＮ／ＯＦＦを行う操作部材である。
撮影／再生モード切り替えレバー７１は、レバーの切り替えを行うことにより、撮影モードと再生モードとの切り替えを行う操作部材である。ここで、撮影モードとは、デジタルカメラ２００において、被写体を新たに撮影して画像信号にするために設定されるモードである。また、再生モードとは、デジタルカメラ２００において、既に撮影して格納されている画像信号を表示させるために設定されるモードである。
ＭＥＮＵボタン７２は、液晶モニタ１６に、各種操作メニューを表示させるための操作部材である。十字操作キー７３は、上下、左右の矢印キーを有し、各種操作メニューの表示項目を選択するための操作部材である。液晶モニタ１６に表示されている画像をある特定の目的で選択する際に、十字操作キー７３と決定ボタン７７とからなる表示操作部６９（第１操作部の一例）が用いられる。十字操作キー７３および決定ボタン７７はユーザーによる操作を受け付ける。より詳細には、十字操作キー７３および決定ボタン７７の操作内容をボディーマイコン１２が検知する。表示部に表示された複数枚の画像のうちユーザーが選択したい画像を十字操作キー７３で選択して決定ボタン７７を押すことで、ユーザーにより選択された画像が最終的に確定する。後述する画像比較選択モードでは、表示操作部６９により、第１表示領域１６ａおよび第２表示領域１６ｂに表示されている２枚の画像のうち一方を選択することができる。十字操作キー７３および決定ボタン７７に入力された情報は、第１表示領域１６ａおよび第２表示領域１６ｂに表示された２枚の画像のうち一方の画像（あるいは、第１表示領域１６ａおよび第２表示領域１６ｂのうち一方の領域）を選択するため第１操作情報の一例である。【００２３】
ＳＥＴボタン７４は、各種操作メニューの表示項目を確定するための操作部材である。画像選択部は十字操作キー７３もしくはダイヤル７８からなり、比較再生モードの中で操作することによって液晶モニタ１６の第２表示領域１６ｂに表示されている画像を、一連の画像の中の他の画像に変更する。
撮影モード切り替えボタン７５は、撮影モードにおいて、ファインダ撮影モードとモニタ撮影モードとを切り替えるための操作部材である。ファインダ撮影モードにおいて撮影モード切り替えボタン７５が押されるとモニタ撮影モードに切り替わり、モニタ撮影モードにおいて撮影モード切り替えボタン７５が押されるとファインダ撮影モードに切り替わる。
深度確認ボタン７６は、後述する絞込みモードへ移行させるためのボタンである。デジタルカメラ２００では、ユーザーがこの深度確認ボタン７６を押すことにより、絞り込みモードへと移行する。【００２４】
また、カメラ本体１の背面には、画像比較選択モードボタン８０が設けられている。画像比較選択モードボタン８０は、複数の画像を比較し最適な１枚の画像を決定する画像比較選択モードに切り換えるためのボタンである。画像比較選択モードボタン８０が操作されると、ボディーマイコン１２により画像比較選択モードが開始される。画像比較選択モードボタン８０が再度操作されると、画像比較選択モードが終了する。
（１．７：カメラ本体の制御システム）
図６は、カメラ本体１の制御システムを示すブロック図である。
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、深度確認ボタン７６と、拡大モードボタン７９とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を有している。【００２５】
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光電変換素子である。撮像センサ１１は、交換レンズユニット２の光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。【００２６】
図６に示すように、画像信号は撮像センサ１１からアナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）などのメモリである。【００２７】
バッファメモリ５４から出力された画像信号は、画像記録制御部１７からの命令に従って、画像圧縮部５６に送信される。画像圧縮部５６は、画像記録制御部１７の命令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
圧縮された画像信号は、画像圧縮部５６から画像記録部１８及び液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて液晶モニタ１６を制御する。【００２８】
画像記録部１８は、画像記録制御部１７の命令に基づいて、画像信号を内部メモリやリムーバブルメモリ等の記録媒体に記録する。画像記録部１８は、画像記録制御部１７の命令に基づいて、画像信号とともに記憶すべき情報を記録媒体に記録する。画像信号とともに記憶される情報としては、例えば、画像を撮影した際の日時，焦点距離情報，シャッタースピード情報，絞り値情報および撮影モード情報が考えられる。
液晶モニタ１６は、画像表示制御部１５の命令に基づいて、画像信号を可視画像として表示する。液晶モニタ１６は、画像表示制御部１５の命令に基づいて、画像信号とともに各種情報を表示する。画像信号とともに表示される情報としては、例えば、焦点距離情報，シャッタースピード情報，絞り値情報，撮影モード情報および合焦状態情報が考えられる。【００２９】
また、液晶モニタ１６は、画像表示制御部１５の命令に基づいて、所定の撮影／再生モードにおいて、ユーザーが各種設定を行う設定画面を表示する。
ユーザーが撮影する場合には、まず、電源ボタン７０をＯＮにする。これによりデジタルカメラ２００本体の電源が入る。次に、撮影／再生モード切り替えレバー７１を撮影モードに合わせる。これにより液晶モニタ１６には、撮像センサ１１により電気的な画像信号に変換された被写体の光学像が可視画像として、画像表示制御部１５の命令に基づいて表示される。
デジタルカメラ２００が撮影モードにある状態において、ユーザーがＭＥＮＵボタン７２を押すと、液晶モニタ１６は、画像表示制御部１５の命令に基づき、撮影モードにおいてユーザーにより変更可能な設定の項目を、アイコン化した設定メニュー画像として表示する。【００３０】
（１．８：交換レンズユニットの制御システム）
図７は交換レンズユニット２の制御システムを示すブロック図である。
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を光学系Ｌの焦点距離情報に変換する。ズーム制御部６２は、焦点距離情報をレンズマイコン２０へ送信する。
フォーカス制御部２６は、フォーカスリニアセンサ６３から信号をＡ／Ｄ変換部６４を介して受信可能であり、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの命令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。【００３１】
絞り制御部２７は、絞りリニアセンサ６６から信号をＡ／Ｄ変換部６７を介して受信可能であり、絞り駆動モータ２８ｂへ信号を送信可能である。絞り制御部２７は、絞りリニアセンサ６６により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの命令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
＜２：デジタルカメラの動作＞
次に、デジタルカメラ２００の動作について説明する。【００３２】
（２．１：電源ＯＮ時の動作）
ユーザーにより電源ボタン７０がＯＮにされると、デジタルカメラ２００本体の電源が入る。そして、デジタルカメラ２００内のボディーマイコン１２および各種ユニットには、図示しない電源部から電力が供給される。同様に、電源部からレンズマウント２１およびボディーマウント２３を介して、交換レンズユニット２内のレンズマイコン２０および各種ユニットに電力が供給される。ボディーマイコン１２は、レンズマウント２１およびボディーマウント２３を介して、各種レンズデータを受け取り、内蔵するメモリ６８に保存する。
（２．２：ファインダ撮影モードの動作）
まず、図１、図２、図６および図７に基づき、ユーザーが、ファインダ接眼窓９を覗いて撮影するファインダ撮影モードにおける駆動シーケンスについて説明する。【００３３】
ファインダ撮影モードでは、上述のようにファインダ接眼窓９から被写体を確認することができる。ユーザーは、ファインダ接眼窓９を覗いて構図を決定すると、オートフォーカス等を行うためにレリーズボタン３０の半押し操作を行う。
ユーザーのレリーズボタン３０の半押し操作により、デジタルカメラ２００はオートフォーカスを行う。具体的には、ボディーマイコン１２は、焦点検出用ユニット５より、焦点ずれ量（以後、「Ｄｆ量」ともいう）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。なお、デジタルカメラ２００はオートフォーカスを行うか否かの切り替え設定が可能である。オートフォーカスを行わない設定の場合、マニュアルフォーカスが可能である。マニュアルフォーカスは、ユーザーがフォーカスリング３９を回転操作することにより行う。フォーカスリング３９の回転により上述のようにフォーカス駆動モータ６５が駆動され、フォーカスレンズが光軸Ｘ方向に移動し、光学系Ｌの物点距離が変更される。【００３４】
この後、ユーザーによりレリーズボタン３０が全押しされると、ボディーマイコン１２は、レンズマイコン２０に対して、絞り値を図示しない測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、シャッターユニット１０は、図示しない測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、液晶モニタ１６に撮影画像として表示される。また、撮像センサ１１から読み出され所定の画像処理を実行された画像データは、画像記録部１８を介して記録媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。【００３５】
（２．３：モニタ撮影モードの動作）
次に、図１、図３、図６および図７に基づき、ユーザーが液晶モニタ１６を用いて撮影するモニタ撮影モードにおける駆動シーケンスについて説明する。
液晶モニタ１６を用いて撮影する場合、ユーザーは、撮影モード切り替えボタン７５を操作して、モニタ撮影モードに設定する。モニタ撮影モードに設定されると、ボディーマイコン１２は、クイックリターンミラー４を光路Ｘ内から退避させる（図３）。これにより、被写体からの光が撮像センサ１１に達する。撮像センサ１１は、撮像センサ１１上に結像される被写体からの光を画像データに変換し、画像データとして取得し、出力する。撮像センサ制御部１３により撮像センサ１１から読み出された画像データは、所定の画像処理を実行された後、液晶モニタ１６に撮影画像として表示される。撮像センサ１１による画像データの取得は所定の間隔で行われ、取得された画像データにより撮影画像が液晶モニタに逐次更新されて表示される。このようにして、被写体の動画像を液晶モニタ１６に表示させることにより、ユーザーは、ファインダ接眼窓９を覗くことなく、被写体を追いかけることが可能となる。モニタ撮影モードにおいて、液晶モニタ１６は電子ビューファインダとして機能する。【００３６】
次に、ユーザーのレリーズボタン３０の半押し動作により、ボディーマイコン１２は、クイックリターンミラー制御部６０により、クイックリターンミラー４を光路Ｘ内の所定位置に戻し（図２）、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
この後、ボディーマイコン１２は、ユーザーによりレリーズボタン３０が全押しされると、レンズマイコン２０に対して、絞り値を図示しない測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる（図３）。クイックリターンミラー４の退避完了後、撮像センサ制御部１３は、撮像センサ１１の駆動を指示し、シャッターユニット１０の動作を指示する。なお、シャッターユニット１０は、図示しない測光センサからの出力に基づいて計算されたシャッタースピードの時間だけ、撮像センサ１１を露光する。【００３７】
露光完了後、撮像センサ制御部１３により撮像センサ１１から読み出された画像データは、所定の画像処理が実行された後、液晶モニタ１６に撮影画像として表示される。また、撮像センサ１１から読み出され、所定の画像処理が施された画像データは、画像記録部１８を介して、リムーバブルメモリに画像データとして書き込まれる。また、露光終了後、クイックリターンミラー４は、光路Ｘ内から退避した状態に位置しており、引き続き、被写体の動画像を液晶モニタ１６に表示させる。
また、モニタ撮影モードを解除する場合には、ユーザーが、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される（図２）。また、デジタルカメラ２００の電源を切断する際にも、クイックリターンミラー４は、光路Ｘ内の所定位置に戻される（図２）。【００３８】
（２．４：デジタルカメラの露出設定動作）
次に、図４、図６を用いて、デジタルカメラ２００の露出設定動作について説明する。露出は主にシャッタースピードと絞り値とにより設定される。デジタルカメラ２００は、通常撮影領域に対して自動でシャッタースピード及び絞り値を設定するプログラム撮影モードと、シャッタースピードを手動で設定し絞り値を自動で設定するシャッタースピード優先撮影モードと、絞り値を手動で設定しシャッタースピードを自動で設定する絞り優先撮影モードと、シャッタースピード及び絞り値を両方とも手動で設定するマニュアル撮影モードとの４つの露出設定モードを持つ。
デジタルカメラ２００の操作を行うユーザーは、絞りリング４０とシャッタースピード設定ダイヤル３１とを組み合わせて操作することにより、４つの露出設定モードを選択することができる。すなわち、ユーザーは、絞りリング４０の文字「Ａ」を指標３３と一致させた状態で、シャッタースピード設定ダイヤル３１をオートの位置に合わせることで、プログラム撮影モードに設定することができる。ユーザーは、絞りリング４０の文字「Ａ」を指標３３と一致させた状態で、シャッタースピード設定ダイヤル３１をマニュアル設定可能な位置に合わせることで、シャッタースピード優先撮影モードに設定することができる。ユーザーは、絞りリング４０の絞り値を表す文字「２」〜「１１」のいずれかを指標３３と一致させた状態で、シャッタースピード設定ダイヤル３１をオートの位置に合わせることで、絞り優先撮影モードに設定することができる。ユーザーは、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。【００３９】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．５：オート絞りモードの露出設定動作）
絞りリニアセンサ６６は、絞りリング４０の回転角度に応じた信号をＡ／Ｄ変換部６７を介して絞り制御部２７へ出力する。絞りリング４０の文字「Ａ」を指標３３と一致させた状態にあるとき、ユーザーによりレリーズボタン３０が操作されると、絞り制御部２７は、絞りリニアセンサ６６から受信した信号に基づいて露出設定モードとしてオート絞りモードが設定されたとの情報をレンズマイコン２０およびボディーマイコン１２へ送信される。ボディーマイコン１２への送信は、レンズマイコン２０とボディーマイコン１２とのマイコン間通信を介して行われる。また、シャッタースピード設定ダイヤル３１は、回転角度に応じた信号をボディーマイコン１２へ出力する。【００４０】
ボディーマイコン１２は、オート絞りモードが設定されたとの情報に基づいて、露出設定モードがオート絞りモードであると判断する。また、ボディーマイコン１２は、オート絞りモードが設定されたとの情報とシャッタースピード設定ダイヤル３１からの信号とに基づいて、露出設定モードがプログラム撮影モードとシャッタースピード優先撮影モードのいずれであるかを判断する。
ボディーマイコン１２は、デジタル信号処理部５３へ命令を送信する。デジタル信号処理部５３は、受信した命令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。【００４１】
ボディーマイコン１２は、演算結果に基づいて制御信号を生成する。ボディーマイコン１２は、演算された絞り値に基づく制御信号を、交換レンズユニット２のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容がプログラム撮影モードを指示するものであるとき、露出設定モードがプログラム撮影モードである旨の表示を行う。液晶モニタ１６は、制御信号の内容がシャッタースピード優先撮影モードを指示するものであるとき、露出設定モードがシャッタースピード優先撮影モードである旨の表示を行う。【００４２】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａによりシャッターユニット１０が駆動される。
以上のようにして、デジタルカメラ２００のオート絞りモードによる露出設定が行われる。以上の動作は、ユーザーのレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて画像信号を記録媒体に記録する。【００４３】
画像記録部１８は、画像記録制御部１７の命令に基づいて、制御信号の内容がプログラム撮影モードを指示するものであるとき、画像信号とともに露出設定モードがプログラム撮影モードである旨の情報を記録媒体に記録する。画像記録部１８は、画像記録制御部１７の命令に基づいて、制御信号の内容がシャッタースピード優先撮影モードを指示するものであるとき、画像信号とともに露出設定モードがシャッタースピード優先撮影モードである旨の情報を記録媒体に記録する。
（２．６：マニュアル絞りモードの露出設定動作）
次に、絞りリング４０の絞り値を表す文字「２」〜「１１」のいずれかの位置を指標３３と一致させた状態にあるとき、ユーザーによりレリーズボタン３０が操作されると、絞り制御部２７は、絞りリニアセンサ６６からＡ／Ｄ変換部６７を介して受信した信号に基づいて、ユーザーにより設定された絞り値に関する情報をレンズマイコン２０へ送信される。レンズマイコン２０は設定された絞り値に関する情報（以下、絞り値情報ともいう）をボディーマイコン１２へ出力する。また、シャッタースピード設定ダイヤル３１は、回転角度に応じた信号をボディーマイコン１２へ出力する。【００４４】
ボディーマイコン１２は、絞り値情報に基づいて露出設定モードがマニュアル絞りモードであると判断する。また、ボディーマイコン１２は、露出設定モードがマニュアル絞りモードであるとの判断結果と、シャッタースピード設定ダイヤル３１からの信号とに基づいて、露出設定モードが絞り優先撮影モードと、マニュアル撮影モードのいずれであるかを判断する。
ボディーマイコン１２は、露出設定モードが絞り優先撮影モードである場合、デジタル信号処理部５３へ命令を送信する。デジタル信号処理部５３は、受信した命令に基づいて所定のタイミングで画像信号をボディーマイコン１２へ送信する。
ボディーマイコン１２は、露出設定モードが絞り優先撮影モードである場合、次のような動作を行う。ボディーマイコン１２は、受信した画像信号と絞り値情報とに基づいてシャッタースピードを演算する。ボディーマイコン１２は、演算結果に基づいて制御信号を生成する。ボディーマイコン１２は、演算されたシャッタースピードに基づく制御信号をシャッター制御部１４へ送信する。【００４５】
ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容が絞り優先撮影モードを指示するものであるとき、露出設定モードが絞り優先撮影モードである旨の表示を行う。液晶モニタ１６は、制御信号の内容がマニュアル撮影モードを指示するものであるとき、露出設定モードがマニュアル撮影モードである旨の表示を行う。
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動され、絞りは設定された絞り値に対応した開口状態となる。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。そして、シャッターユニット１０は、設定されたシャッタースピードの期間だけ撮像センサ１１を露光する。【００４６】
以上のようにして、デジタルカメラ２００のマニュアル絞りモードによる露出設定が行われる。以上の動作は、ユーザーのレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて画像信号を記録媒体に記録する。
画像記録部１８は、画像記録制御部１７の命令に基づいて、制御信号の内容が絞り優先モードを指示するものであるとき、画像信号とともに露出設定モードが絞り優先モードである旨の情報を記録媒体に記録する。画像記録部１８は、画像記録制御部１７の命令に基づいて、制御信号の内容がマニュアル撮影モードを指示するものであるとき、画像信号とともに露出設定モードがマニュアル撮影モードである旨の情報を記録媒体に記録する。【００４７】
（２．７：連続撮影モードの動作）
図１、図３、図６および図７に基づき、レリーズボタン３０の１回の操作により撮影条件を変えて複数の撮影を連続して行う連続撮影モードにおける駆動シーケンスについて説明する。
撮影／再生モード切り替えレバー７１を回転し、連続撮影モードを選択操作すると、連続撮影モードが選択されたことがボディーマイコン１２に送信される。併せて、ボディーマイコン１２は、画像表示制御部１５に制御信号を送信する。画像表示制御部１５は、液晶モニタ１６を駆動する。液晶モニタ１６は、連続撮影を行う撮影条件を選択する操作画面の表示を行う。
ユーザーは、十字操作キー７３を操作して操作画面に表示された撮影条件を選択し、ＳＥＴボタン７４を押して撮影条件を決定する。ボディーマイコン１２は、選択された撮影条件を判断する。撮影条件としては、例えば、画像の明るさや露出、絞り値などを変化させながら、複数の画像（以下、これらの画像を「一連の画像」ともいう）を連続撮影する。また、ユーザーは、十字操作キー７３を操作して変化させたい条件の値など決定する。【００４８】
以下、一例として、ユーザーが絞り値を変化させて連続撮影する動作を説明する。
撮影条件として、絞り値が選択、決定されると、ボディーマイコン１２は、レンズマイコン２０に、絞り値が絞りリング４０により設定されている絞り値（例えばＦ８）に関わらず、設定可能な最小の絞り値（例えばＦ２）となるように命令する。
併せて、ボディーマイコン１２は、画像表示制御部１５に制御信号を送信する。画像表示制御部１５は、液晶モニタ１６を駆動する。液晶モニタ１６は、制御信号の内容が絞り値変化による連続撮影モードを指示するものであるとき、絞り値変化による連続撮影モードである旨の表示を行う。
ユーザーのレリーズボタン３０の全押し操作後、上述した露出設定モードが絞り優先撮影モードである場合と同様の撮影動作を、絞り値を最小値から１段ずつ大きくして繰り返し行う。以下、レリーズボタン３０の全押し操作後の動作を具体的に説明する。【００４９】
ボディーマイコン１２は、撮影に用いる絞り値に対する適切なシャッタースピードを演算する。ボディーマイコン１２は、演算結果に基づいて制御信号を生成する。ボディーマイコン１２は、演算されたシャッタースピードに基づく制御信号をシャッター制御部１４へ送信する（ステップＳ１）。
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動され、絞りは設定された絞り値に対応した開口状態となる。シャッター制御部１４は、ボディーマイコン１２からの制御信号に基づいてシャッター駆動モータ１０ａを駆動するための駆動信号を生成する（ステップＳ２）。【００５０】
シャッター駆動モータ１０ａは、駆動信号に基づいて駆動される。シャッター駆動モータ１０ａの駆動により、シャッターユニット１０が駆動される。そして、シャッターユニット１０は、設定されたシャッタースピードの期間だけ撮像センサ１１を露光する。撮像センサ１１は露光開始前に電荷をリセットし、露光により電荷を蓄積する。そして、撮像センサ１１は、画像信号を出力する（ステップＳ３）。
以上のようにして、設定された撮影条件により１枚の画像の撮影を行う。ボディーマイコン１２は、撮影が終了すると、画像記録制御部１７に制御信号を送信する。画像記録部１８は、画像記録制御部１７の命令に基づいて、画像信号を記録媒体に記録する。ボディーマイコン１２は、前回の撮影時の絞り値が最大である場合は、撮影動作を終了する。前回の撮影時の絞り値が最大でない場合は、１段大きい絞り値を次の撮影に用いるようにレンズマイコン２０に命令する。命令を受けると、ステップＳ１の動作に戻る（ステップＳ４）。【００５１】
なお、絞り値を変化させる方法としては、最大値から最小値へ１段ずつ変化させる方法、２段ずつ変化させる方法等が考えられる。
図８に、撮影された一連の画像をリムーバブルメモリなどの記録媒体８１に記録する際のフォルダ構造を示す。ユーザーが一連の画像を撮影するたびに記録媒体８１の下にフォルダが１つずつ作成される。フォルダ８２〜８６は、合計５回の連続撮影にそれぞれ対応するフォルダである。同時に、ボディーマイコン１２は、各フォルダに一連の画像（画像８２−１、８２−２、８２−３）を全て保存する。さらに、ボディーマイコン１２は一つのフォルダ８２に保存されている一連の画像がどの撮影条件を変化させて撮影された画像であるか、また、それぞれの画像についてのその値などの情報を記録するファイル８２−１００もフォルダ８２の中に保存する。この一連の画像の中で、画像８２−１の絞り値は２、画像８２−２のＦ値は５．６、画像８２−３のＦ値は８である。【００５２】
（２．８：比較再生モードの動作説明）
デジタルカメラ２００は、ユーザーが連続撮影された複数の画像を比較しやすいように再生する比較再生モードを有する。以下、比較再生モードの動作について説明する。
図９および図１０は比較再生モードの動作を説明したフローチャートである。ボディーマイコン１２は、撮影／再生モード切り替えレバー７１により、比較再生モードが選択操作されたかどうか判断する（ステップＳ１０１）。比較再生モードが選択操作された場合には比較再生モードへ移行する（ステップＳ１０２）。
比較再生モードに入ると画像表示制御部１５は図１１に示すように各フォルダの中の１枚の代表画像をサムネイルにて液晶モニタ１６に表示する。ユーザーは十字操作キー７３で図１１に示すように液晶モニタ１６に表示された複数のサムネイル画像から選択した１枚のサムネイル画像にカーソル枠９０を合わせて画像を選択し、決定ボタン７７を押すことで最適な画像の選択を行いたい一連の画像を選択する。図１１においてユーザーがサムネイル画像８２−１を選択した場合、ボディーマイコン１２は画像８２−１が保存されているフォルダ８２の中の一連の画像から最適な画像をユーザーに選択させる段階へと進む。画像表示制御部１５は液晶モニタ１６に画像８２−１を表示する。液晶モニタ１６は第１表示領域１６ａ（左側半分の領域）と第２表示領域１６ｂ（右側半分の領域）に２分割されており、いずれか一方の領域にカーソル枠９０が表示される。次に、ユーザーはダイヤル７８を回し、フォルダ８２に記録されている一連の画像の中から基準となる第１画像を選択する。このときの表示例を図１２（Ａ）および（Ｂ）に示す。最初に図１２（Ａ）の表示例のように、絞り値がＦ２の画像８２−１が表示されている。ダイヤル７８が右に１ステップ回転すると、図１２（Ｂ）の表示例のように、絞り値が次に大きいＦ５．６の画像８２−２が表示される。また、ダイヤル７８が左に１ステップ回転すると、図１２（Ａ）の表示例のように、絞り値が次に小さいＦ２の画像８２−１が表示される。ダイヤル７８の操作により基準となる画像を選択した後、十字操作キー７３を操作することにより、カーソル枠９０を画像の左半分、または、右半分に合わせ、どちらか一方に表示されている画像を基準画像として選択する（ステップＳ１０３）。【００５３】
その後、決定ボタン７７が操作されることにより基準画像を決定する（ステップＳ１０４）。以下、基準画像として、絞り値がＦ２の画像の左半分を選択した場合について説明を続ける。
画像表示制御部１５は基準画像を液晶モニタ１６の片側（第１表示領域１６ａ）に表示する（ステップＳ１０５）。次に、画像表示制御部１５は液晶モニタ１６の、基準画像が表示されていない側（第２表示領域１６ｂ）に、第２画像を比較画像として表示する。画像表示制御部１５は、基準画像として選択された画像が記録されたフォルダ内の異なる画像を１枚選択し、基準画像と同一範囲、すなわち、カーソル枠９０で選択された左半分の画像を比較画像として液晶モニタ１６の右半分（第２表示領域１６ｂ）に表示する。本実施形態では、Ｆ５．６の画像８２−２の左半分の画像が液晶モニタ１６の右半分（第２表示領域１６ｂ）に表示される。このように、液晶モニタ１６には、撮影条件の異なる複数の画像のそれぞれ同一範囲が並べて表示される。【００５４】
次に、ユーザーはダイヤル７８を回し、フォルダ８２に記録されている一連の画像の中の基準画像を除いた画像の中から比較画像を選択する（ステップＳ１０６）。このときの表示例を図１３（Ａ）および（Ｂ）に示す。図１３（Ａ）の表示例のように、液晶モニタ１６は、第１表示領域１６ａに基準画像（絞り値がＦ２で取得された画像８２−１の左半分の画像）を、第２表示領域１６ｂに先程の比較画像（Ｆ５．６の画像８２−２の左半分の画像）を表示している。ダイヤル７８が右に１ステップ回転すると、図１３（Ｂ）の表示例のように、液晶モニタ１６は、右側に絞り値が次に大きいＦ８の画像８２−３の左半分の画像を表示する。また、ダイヤル７８が左に１ステップ回転すると、先程の図１３（Ａ）の表示例のように、液晶モニタ１６は、右側に絞り値が次に小さいＦ５．６の画像８２−２の左半分の画像を表示する。ダイヤル７８の操作により、液晶モニタ１６は、左側の基準画像を維持したまま、右側の比較画像を更新表示する。【００５５】
このとき、ボディーマイコン１２はファイル８２−１００の内容から、基準画像および比較画像の両者が絞り値を変化させた画像であること、及び、それぞれの絞り値を知ることができる。この情報をもとに、画像表示制御部１５は液晶モニタ１６に基準画像と比較画像の絞り値をそれぞれ表示する。
ここで、基準画像と比較画像のどちらかを選択するに際して両画像の選択部分の拡大画像を比較したい場合、ユーザーは拡大モードボタン７９を押す（ステップＳ１０７）。ボディーマイコン１２は拡大モードボタン７９が押されたかを判断する（ステップＳ１０８）。拡大モードボタン７９が押された場合には拡大モードへと移行する。
拡大モードではユーザーが十字操作キー７３を操作することで基準画像と比較画像の拡大したい箇所（拡大対象領域）を選択する。また、ユーザーがダイヤル７８を操作することで表示倍率を、それぞれ設定する（ステップＳ１０９）。このときの表示例を図１４に示す。拡大モードボタン７９が押されると、ステップＳ１０６の最後の表示（図１３（Ａ）の表示例）に、基準画像８２−１および比較画像８２−２のそれぞれ同一の領域を示す２つのカーソル枠９０が追加して表示される。ユーザーが十字操作キー７３を上下左右に操作すると、２つのカーソル枠９０は、これにともなって上下左右に移動する。移動後も、２つのカーソル枠９０は基準画像８２−１および比較画像８２−２のそれぞれ同一の領域を示す。ユーザーがダイヤル７８を回転させると、２つのカーソル枠９０は、ダイヤル７８の回転方向および回転量に従い、大きさが変更される。大きさの変更後も、２つのカーソル枠９０は基準画像８２−１および比較画像８２−２のそれぞれ同一の領域を示す。カーソル枠９０で示された領域が、拡大対象領域として選択される。このようにして、基準画像８２−１および比較画像８２−２のそれぞれ同一の領域が同期して選択される。なお、本実施形態では、基準画像の全範囲に対する拡大対象領域の範囲と比較画像の全範囲に対する拡大対象領域の範囲が同一となるようにしている。【００５６】
その後、決定ボタン７７が操作されることにより拡大対象領域を決定する（ステップＳ１１０）なお、後述する拡大表示において、拡大表示領域は拡大対象領域の大きさによらず一定とすることから、拡大箇所の大きさにより、同時に拡大倍率が決定される（同ステップ）。
画像表示制御部１５は、基準画像、比較画像それぞれの拡大画像を基準画像、比較画像とともに液晶モニタ１６に表示する（ステップＳ１１１）。図１５は拡大表示の表示例である。画像表示制御部１５は、ステップ１１０での表示（図１４）に、基準画像８２−１の拡大対象領域の拡大画像１０３（以下、基準拡大画像ともいう）および比較画像８２−２の拡大対象領域の拡大画像１０４（以下、比較拡大画像ともいう）をオーバーラップして液晶モニタ１６に表示する。基準拡大画像１０３および比較拡大画像１０４の表示範囲は、拡大対象領域の大きさに関わらず、一定である。また、基準拡大画像１０３は基準画像８２−１にオ−バーラップして表示され、比較拡大画像１０４は比較画像８２−２にオ−バーラップして表示される。基準拡大画像１０３および比較拡大画像１０４は左右に並べて表示される。カーソル枠９０は、表示方法を変えて、拡大対象領域を示す拡大対象領域枠９１として表示される。また、基準画像８２−１または比較画像８２−２のいずれかを選択するカーソル枠９０が一方の画像表示範囲に表示される。【００５７】
拡大表示により焦点を合わせた被写体（女性）の背景（海）のぼけ具合を容易に比較することが可能となる。
（拡大モード中の比較画像の変更動作）
拡大モードの表示状態において、比較画像の方が好ましいとユーザーが判断し、ユーザーにより比較画像が選択された場合、選択された比較画像を新たに基準画像とする。基準画像の変更後も、拡大モードの表示条件は維持する。図１６（Ａ）および（Ｂ）の表示例を用いて説明する。
ユーザーは十字操作キー７３の左右を操作してカーソル枠９０を比較画像８２−２に合わせて比較画像８２−２を選択する（図１６（Ａ）の表示例）。その後、決定ボタン７７が操作されることによりボディーマイコン１２は比較画像８２−２が選択されたと判断する（ステップＳ１１２）。この場合は、画像表示制御部１５は比較画像８２−２を新たな基準画像として液晶モニタ１６の左半分（第１表示領域１６ａ）に表示する（ステップＳ１１３）。また、基準画像であった画像８２−１を比較画像として液晶モニタ１６の右半分（第２表示領域１６ｂ）に表示する（ステップＳ１１４）。また、拡大対象領域は維持したまま、基準画像８２−２の基準拡大画像１０３および比較画像８２−１の比較拡大画像１０４も同様に行う。（ステップＳ１１５）。本実施形態では、比較画像が選択されると、比較画像が新たに基準画像となるとともに、左右の表示が入れ替わる（図１６（Ａ）の表示例から図１６（Ｂ）の表示例へ）。【００５８】
拡大モードの表示状態において、ユーザーが別の画像を比較画像として選択すると、選択された画像を新たな比較画像として変更して表示する。比較画像の変更後も、拡大モードの表示条件は維持する。
ユーザーがダイヤル７８を回すと、ボディーマイコン１２は比較画像の変更があると判断する（ステップＳ１１６）。ボディーマイコン１２は、フォルダ８２に記録されている一連の画像の中の基準画像８２−２および現在表示されている比較画像８２−１を除いた画像の中から比較画像８２−３を選択する。図１７に示すように、画像表示制御部１５は、比較画像を選択前の画像８２−１（図１６（Ｂ））から選択された画像８２−３に変更し、液晶モニタ１６に表示する（ステップＳ１１４）。
このとき、拡大モードの表示条件は維持する。具体的には、ボディーマイコン１２は比較画像変更前の比較画像８２−１における拡大対象領域の位置、大きさを記憶する。画像表示制御部１５は比較画像変更後の比較画像８２−３において、ボディーマイコン１２に記憶した拡大対象領域と同一部分を同一倍率にて比較拡大画像１０４として液晶モニタ１６に表示する（ステップＳ１１５）。このように、画像表示制御部１５は、比較画像の変更に同期して比較拡大画像１０４を変更する。【００５９】
ボディーマイコン１２は、最適画像が選択されたかどうかを判断する（ステップＳ１１７）。具体的には、カーソル枠９０が基準画像８２−２に合わされた状態、すなわち、基準画像８２−２が選択された状態で決定ボタン７７が操作されることにより、ボディーマイコン１２は最適画像として基準画像８２−２が選択されたと判断する。そして、ボディーマイコン１２は、選択された基準画像８２−２を最適画像として決定する。
（２．９：画像比較選択モードの動作）
上述の比較再生モードでは、使用者が一連の画像を比較して見ることに重点を置いている。
しかし、一連の画像から最適画像を選択するには、上述の比較再生モードは、すでに比較した画像が再度表示されるため、画像を比較する際に重複作業が発生し、効率ではない。一連の画像の枚数が多いほどこの問題は顕著である。【００６０】
そこで、デジタルカメラ２００は、一連の画像から最適画像の選択を行うのに適した画像比較選択モードを有する。以下、画像比較選択モードの動作を説明する。図１８は、画像比較選択モードの動作を説明したフローチャートである。ここでは、比較選択の対象の画像として、前述の比較再生モードと同様に、一連の画像８２-１，８２−２，８２−３，８２−４が選択された場合を例に説明する。
画像比較選択モードボタン８０が操作されると、ボディーマイコン１２は画像比較選択モードを開始する。具体的には、前述した図９に示すフローチャートのステップＳ１０３からステップＳ１０６までの処理が実行されることによって、基準画像８２−１が第１表示領域１６ａに、そして比較画像８２−２が第２表示領域１６ｂに、それぞれ表示される（ステップＳ１１９、図１９（Ａ））。このとき、一連の画像８２-１，８２−２，８２−３，８２−４のファイル名が表示管理部１２ａに記憶され、表示管理部１２ａにより画像８２-１，８２−２，８２−３，８２−４が未表示の画像として表示対象に設定される。より詳細には、表示管理部１２ａに、これらの画像８２−１，８２−２，８２−３，８２−４のファイル名「８２−１」、「８２−２」、「８２−３」および「８２−４」が記憶される。【００６１】
なお、一連の画像８２-１，８２−２，８２−３，８２−４はそれぞれ絞り値をＦ２，Ｆ５．６，Ｆ８，Ｆ１１に設定して連続撮影された画像である。これらの絞り値は、撮影条件として、画像８２-１，８２−２，８２−３，８２−４とともに記録媒体に記録されている。具体的には、記録媒体に記録されているファイル８２−１００（図８）に絞り値などの撮影条件が含まれている。各画像の絞り値は、ステップＳ１２５において、選択部１２ｂで画像を選択する基準として利用される。
次に、処理がステップＳ１２０に進む。このステップに最初に入った場合には、画像８２-１，８２−２，８２−３，８２−４が表示管理部１２ａにより表示対象に設定されているが、ボディーマイコン１２の表示管理部１２ａは、記憶しているファイル名から、液晶モニタ１６に表示されている基準画像８２-１および比較画像８２−２のファイル名「８２−１」および「８２−２」を消去する。したがって、液晶モニタ１６に表示されていない残りの画像８２−３および８２−４が表示対象として表示管理部１２ａに記憶されている。表示管理部１２ａがファイル名を記憶および消去することで、フォルダ８２に入っている４枚の画像８２−１、８２−２、８２−３、８２−４のうち、画像比較選択モードの開始から未だ表示されていない画像８２−３および８２−４を表示対象に設定することができる（ステップＳ１２０）。【００６２】
次に、ボディーマイコン１２が表示操作部６９の決定ボタン７７の操作を監視する（ステップＳ１２０Ａ）。使用者が十字操作キー７３の左右を操作してカーソル枠９０を基準画像８２−１と比較画像８２−２のうちで好ましいと判断した方の画像に合わせ、決定ボタン７７を押すことにより、基準画像８２−１と比較画像８２−２のどちらか一方が選択される（ステップＳ１２１）。比較画像８２−２が選択された場合を例に説明を続ける。
比較画像８２−２が選択されると、ボディーマイコン１２は、比較画像８２−２を新たに基準画像として設定し（ステップＳ１２２）、処理がステップＳ１２２に進む。一方、ステップＳ１２１において基準画像８２−１が選択されると、処理がステップＳ１２３に進む。
ボディーマイコン１２は、未表示の画像があるかどうかを判断する（ステップＳ１２３）。具体的には、表示管理部１２ａに記憶されているファイル名に基づいて、表示対象が存在するか否かを判断する。ここでは、ファイル名「８２−３」および「８２−４」が表示管理部１２ａに記憶されているため、表示対象が画像８２−３および８２−４であることが判断でき、ボディーマイコン１２は、ステップＳ１２３でＹＥＳと判断し、処理がステップＳ１２５に進む。【００６３】
ステップＳ１２５では、ボディーマイコン１２は、表示対象の画像８２−３および８２−４の中から、比較画像として特定の条件にしたがって画像を選択する。例えば、絞り値が小さい順といった条件で選択するようにしてもよい。ここでは、表示対象の画像８２−３および８２−４から、絞り値が最も小さい画像８２−３をボディーマイコン１２の選択部１２ｂは比較画像として選択する。
ボディーマイコン１２は、基準画像８２−２および比較画像８２−３としてどの画像が選択されたかを画像表示制御部１５に通知する。画像表示制御部１５は基準画像８２−２を液晶モニタ１６の左半分（第１表示領域１６ａ）に表示する。また、画像表示制御部１５は、液晶モニタ１６の右半分（第２表示領域１６ｂ）に、比較画像８２−３の左半分を表示する（ステップＳ１２５）。このときの液晶モニタ１６の表示例は図１９（Ｂ）のようになる。その後、ステップＳ１２０に戻る。なお、ステップＳ１２５において、画像表示制御部１５は液晶モニタ１６に未表示の画像の残り枚数、すなわち、表示対象の枚数を表示するようにしてもよい（図１９（Ａ）および（Ｂ））。この場合、例えば、表示管理部１２ａに記憶されているファイル名のデータ数が表示対象の枚数として表示される。【００６４】
処理がステップＳ１２０に戻って、ボディーマイコン１２は、基準画像８２−２と比較画像８２−３とを表示対象の画像８２−３および８２−４から除外する。具体的には、ボディーマイコン１２は、表示管理部１２ａに記憶されているファイル名から、比較画像８２−３のファイル名「８２−３」を消去する。これにより、表示対象は残り１枚の画像８２−４となる。
ステップＳ１２１に進んで、基準画像８２−２と比較画像８２−３とを比較して使用者が基準画像８２−２を選択した場合を例に説明を続ける。基準画像８２−２が選択されると、処理がステップＳ１２３に進む。
ステップＳ１２３では、表示管理部１２ａに記憶されている識別番号に基づいて、ボディーマイコン１２により未表示の画像８２−４があると判断され、処理がステップＳ１２４に進む。【００６５】
ステップＳ１２４では、ボディーマイコン１２は、表示対象の画像から、比較画像として撮影時の絞り値が最小である画像を選択する。この場合、表示対象が画像８２−４のみであるため、比較画像として画像８２−４が選択される。
ステップＳ１２５では、ボディーマイコン１２は、基準画像８２−２および比較画像８２−４としてどの画像が選択されたかを画像表示制御部１５に通知する。画像表示制御部１５は基準画像８２−２を液晶モニタ１６の左半分（第１表示領域１６ａ）に表示する。また、画像表示制御部１５は、液晶モニタ１６の右半分（第２表示領域１６ｂ）に、比較画像８２−４を表示する（ステップＳ１２５）。このときの液晶モニタ１６の表示例は図２０（Ａ）のようになる。その後、処理はステップＳ１２０に戻る。
ステップＳ１２０では、ボディーマイコン１２は、基準画像８２−２と比較画像８２−４とを表示対象から除外する。具体的には、ボディーマイコン１２は、表示管理部１２ａに記憶されているファイル名から、比較画像８２−４のファイル名「８２−４」を消去する。この結果、表示管理部１２ａにはファイル名が記憶されていないため、表示対象は０となる。【００６６】
処理がステップＳ１２１に進んで、基準画像８２−２と比較画像８２−４とを比較して使用者が基準画像８２−２を選択した場合を例に説明を続ける。基準画像８２−２が選択されると、処理がステップＳ１２３に進む。
ステップＳ１２３では、表示対象が残っていないため、未表示の画像がないと判断され、処理がステップＳ１２６に進む。
そして、ボディーマイコン１２は、基準画像８２−２を最適画像として決定する（ステップＳ１２６）。最後に、画像表示制御部１５が液晶モニタ１６に最適画像８２−２の全体を表示して（図２０（Ｂ））、ボディーマイコン１２は画像比較選択モードを終了する。
以上のように、デジタルカメラ２００は、画像比較選択モードの開始から終了までの間に第１表示領域１６ａおよび第２表示領域１６ｂにそれぞれ表示された画像のうち一方が選択されると、他方の選択されなかった画像が画像比較選択モードの終了まで第１表示領域１６ａおよび第２表示領域１６ｂに表示されない。したがって、選択されなかった画像を再び比較する必要がなく、上記の画像比較選択モードにて画像を比較して好ましい画像を選択していくことにより、３以上の画像から最適な画像を効率よく選択することが可能となる。【００６７】
また、液晶モニタ１６上で２枚の画像（基準画像および比較画像）を比較するようになっているため、液晶モニタ１６が小さい場合でも各画像の表示サイズを比較的大きく維持でき、画像を比較するのが容易となる。
（拡大モード中の比較画像の変更動作）
上述の拡大モードは、画像比較選択モード中においても有効である。画像比較選択モード中に拡大モードボタン７９が操作されると、拡大表示モードに移行する。また、比較再生モードにおける拡大表示モード中に画像比較選択モードボタン８０が操作されると、拡大表示モードを維持したまま画像比較選択モードに移行する。例えば、ステップＳ１１１の後（図１５）、画像比較選択モードボタン８０が操作されると、画像比較選択モードのステップＳ１１９の後の液晶モニタ１６の表示画面は図１５のようになる。すなわち、基準画像と比較画像の同一の領域がそれぞれ同一の倍率で拡大された表示がされる。【００６８】
その後、ステップＳ１２５において次の基準画像および比較画像を表示する際には、拡大モードの表示条件は維持される。すなわち、次の基準画像および比較画像に、それまでと同一領域をそれまでと同一の拡大率で拡大した表示がされる。
以上のように、画像比較選択モードにおいて拡大モードを用いることにより、使用者は拡大表示された画像を比較して最適画像を選択することができ、画像の比較がより容易となる。
（２．１０：深度確認モードの動作）
このデジタルカメラ２００では、撮影時の絞り値を決定するために、撮影前に、絞り値の異なる複数の画像を並べて比較できる深度確認モードがさらに設けられている。
デジタルカメラ２００のボディーマイコン１２により、深度確認ボタン７６（図５）が押されたか否かが判断される。深度確認ボタン７６が押された場合には、深度確認モードに移行する。以下、深度確認モードについて具体的に説明する。【００６９】
深度確認ボタン７６が押されると、異なる絞り値で連続して撮影が行われる。具体的には、上述のステップＳ１からステップＳ４までの動作が連続で行われる。連続撮影された画像は、フォルダ８２内に記録される。
続けて、比較再生モードに移行する。ここでは、撮影／再生モード切り替えレバー７１により、比較再生モードが選択操作されたかどうかにかかわらず、処理が比較再生モードに移行する。そして、ユーザーの操作により、最適画像の選択、決定される。
具体的には、上述したステップＳ１０３からステップＳ１１８の動作を行う。
最適画像の選択には、上述の画像比較選択モードを用いることも可能である。ユーザーが画像比較選択モードボタン８０を操作すると、画像比較選択モードにより最適画像が選択される。具体的には、ステップＳ１１９からステップＳ１２６の動作を行う。【００７０】
続けて、最適画像として選択された画像と同じ絞り値に設定される。具体的には、ボディーマイコン１２は、最適画像として選択された画像についての絞り値をフォルダ８２に記録されたファイル８２−１００から取得し、当該絞り値をレンズマイコン２０に送信する。レンズマイコン２０は、絞り制御部２７に、当該絞り値に設定するように命令を出す。絞り制御部２７は、絞り駆動モータ２８ｂを駆動し、絞りを当該絞り値に設定する。
続けて、設定された絞り値を用いたマニュアル絞りモードでの撮影待機状態に移行し、深度確認モードを終了する。
その後、ユーザーは、深度確認モードで画像を比較した上で選択した最適画像と同じ絞り値での撮影をそのまま行うことができる。
＜３：特徴＞
デジタルカメラ２００の特徴は以下の通りである。【００７１】
（１）
このデジタルカメラ２００では、比較再生モードおよび画像比較選択モードにおいて基準画像および比較画像が並んだ状態で液晶モニタ１６に表示されている。これにより、異なる撮影条件で撮影された２枚の画像を容易に比較することができる。また、比較画像と基準画像の入れ換え、比較画像と他の比較画像との入れ換えが可能であるため、複数の画像を比較する際の利便性が高まる。
（２）
画像比較選択モードにおいて、記録媒体に記録された複数の画像８２−１〜８２−４のうち液晶モニタ１６に未だ表示されていない画像８２−３および８２−４を、表示管理部１２ａが表示対象として管理している（例えば、ステップＳ１２０およびＳ１２３）。具体的には、表示管理部１２ａは、表示対象として管理されている画像のファイル名を識別情報として記憶しており、ファイル名により表示対象の管理を行っている。同じ画像比較選択モードにおいて液晶モニタ１６にすでに表示された画像を表示対象から除外する場合は、表示管理部１２ａは、記憶しているファイル名から表示された画像のファイル名を消去する（例えば、ステップＳ１２０）。【００７２】
上記のように表示管理部１２ａにより表示対象を管理している状態で、表示管理部１２ａで管理されている表示対象から、液晶モニタ１６に表示する画像が選択画像として選択部１２ｂにより選択される。選択された画像は、画像表示制御部１５での制御により第１表示領域１６ａまたは第２表示領域１６ｂに表示される（例えば、ステップＳ１２４およびＳ１２５）。
画像比較選択モードでは、表示管理部１２ａによる表示対象の管理が行われているため、液晶モニタ１６には、すでに表示された画像８２−１および８２−２は表示されずに、未だ表示されていない画像を表示することができる。つまり、同じ画像を再度比較するような重複作業の発生を防止でき、画像を比較する際の効率を高めることができる。
（３）
また、画像が取得された際の撮影条件が画像とともに記録媒体に記録されており、画像比較選択モードでは選択部１２ｂにより撮影条件（例えば、絞り値）に基づいて表示対象から画像を選択する。これにより、撮影条件に応じて表示順序を最適化することができる。【００７３】
なお、本実施形態で説明されている画像とは、比較選択対象となっている撮影画像を意味しており、デジタルカメラ２００の状態を表示するアイコン等の画像を含まない。
＜その他の実施形態＞
本発明の具体的な構成は、前述の実施形態に限られるものではなく、発明の要旨を逸脱しない範囲で種々の変更および修正が可能である。
なお、以下の説明においては、前述の実施形態と実質的に同じ機能を有する構成については、同じ符号を付し、その詳細な説明は省略する。
（Ａ）
前述の実施形態では、画像比較選択モードにおいて選択されなかった全ての表示画像を表示対象から除外しているが、後で再度比較したいとユーザーが判断した画像を保留する機能を設けてもよい。保留機能を実現する保留ボタン（第２操作部の一例）は、単独のボタンを設けてもよいし、画像比較選択モードにおいては例えばＳＥＴボタン７４を保留ボタンに設定してもよい。ここでは、ＳＥＴボタン７４を保留ボタンとして利用する構成を例に保留機能について説明する。【００７４】
画像比較選択モードが開始されると、ボディーマイコン１２がＳＥＴボタン７４に保留ボタンの機能を一時的に与える。つまり、画像比較選択モードでＳＥＴボタン７４が押されると、ボディーマイコン１２は保留画像の確定と認識する。十字操作キー７３およびＳＥＴボタン７４を用いて画像が選択されると、液晶モニタ１６に表示されているにも関わらず、選択された画像を表示管理部１２ａが表示対象に再設定する。
具体的には図２１に示すように、ステップＳ１２０において基準画像および比較画像を表示対象から除外した後に、ボディーマイコン１２はＳＥＴボタン７４の操作を監視する（ステップＳ２０１）。ユーザーが十字操作キー７３により第１表示領域１６ａまたは第２表示領域１６ｂにカーソル枠９０を移動させ、ＳＥＴボタン７４の操作により画像が選択された場合は、表示管理部１２ａはＳＥＴボタン７４の操作に基づいて、選択された画像を表示対象に設定する（ステップＳ２０２）。ステップＳ２０１およびＳ２０２の後は、前述の実施形態のステップＳ１２０Ａ〜Ｓ１２６の処理が行われる。【００７５】
このように、すでに液晶モニタ１６に表示され表示対象から除外された画像を表示対象に再設定することで、この画像を表示対象として保留することができ、基準画像と保留画像とを再度比較することができる。つまり、画像比較時の効率の低下を抑制しつつ精度を高めることができる。
なお、ＳＥＴボタン７４に入力される情報（つまり、ＳＥＴボタン７４が押されたという情報）は、第１表示領域１６ａまたは第２表示領域１６ｂに表示されている画像を表示対象として保留することを示す第２操作情報の一例である。
また、ここでは、「表示対象の管理」には、未表示の画像を表示対象に設定したり、あるいは、すでに表示された画像を表示対象から除外したりすることに加えて、すでに表示された画像を何らかの条件に基づいて表示対象に再設定することも含まれ得る。【００７６】
さらに、基準画像および比較画像を表示対象から除外するステップＳ１２０がステップＳ２０１およびステップＳ２０２よりも後に実行される場合は、保留が確定された画像を表示管理部１２ａが表示対象に設定しなくてもよく、保留が確定された画像を表示対象から除外するステップが省略されるようなフローであればよい。
（Ｂ）
前述の実施形態においては、デジタル一眼レフカメラを例に実施形態について説明したが、前述のデジタルカメラは撮像装置および画像表示装置の一例であって、画像表示装置および撮像装置は前述の実施形態に限定されない。画像表示装置は、複数の静止画を撮影可能なデジタルビデオカメラや、画像を表示できるＤＶＤプレーヤであってもよい。つまり、画像表示装置および撮像装置は画像を表示することができる装置であればよい。【００７７】
また、前述の実施形態においては、クイックリターンミラー４を有する交換レンズ式のデジタルカメラについて説明したが、クイックリターンミラー４を有さず、交換レンズユニット２からの被写体光を常に撮像センサ１１側に導くようなデジタルカメラであってもよい。
（Ｃ）
前述の実施形態においては、デジタルカメラ２００は、画像比較選択モードの開始から終了までの間に第１表示領域１６ａおよび第２表示領域１６ｂにそれぞれ表示された画像のうち一方が選択されると、他方の選択されなかった画像を画像比較選択モードの終了まで第１表示領域１６ａおよび第２表示領域１６ｂに表示しない。このとき、選択を誤った場合に大切な画像が削除されないようにするために、選択されなかった画像は記録媒体から自動的に削除しないことが望ましい。【００７８】
また、深度確認モードの終了後、フォルダ８２に記録した一連の画像を削除するようにしてもよい。
（Ｄ）
前述の実施形態では、ユーザーにより拡大対象領域の選択及び設定が行われているが、拡大対象領域の選択方法はこれに限られない。例えば、被写体までの距離が異なる境界領域を多く含む領域を検出し、その検出結果に基づいて自動的に基準枠が設定される構成であってもよい。具体的には例えば、焦点検出用ユニット５により１枚の画像において複数点のＤｆ量が検出される。このＤｆ量に基づいて、ボディーマイコン１２により１枚の画像の中でＤｆ量の差が大きい（合焦領域と非合焦領域の差の大きい）領域が検出される。Ｄｆ量の差の大きい領域が自動的に基準枠として設定される。【００７９】
この場合、前述のような方法で自動的に基準枠が設定されるため、比較対象として最適な基準画像を迅速に選択することができる。これにより、画像を比較する際の利便性がさらに高まる。
（Ｅ）
前述の実施形態では、交換レンズユニット２に搭載された絞りリング４０を用いて絞り値の変更が行われている。しかし、絞りリング４０の代わりに、カメラ本体１に搭載されたダイヤルやボタンなどの操作部を用いて絞り値を変更できる構成であってもよい。また、カメラ本体１に搭載された操作部は、絞り値を変更するための操作部でなくとも、他の目的で使用される操作部と兼用であってもよい。
（Ｆ）
前述の実施形態では、液晶モニタ１６に表示する画像は、撮像センサ１１により取得されている。しかし、ファインダ光学系内に配置された別の撮像センサが用いられてもよい。この場合、モニタ撮影モードにおいて、クイックリターンミラー４を光路Ｘ外へ退避させる必要がない。また、クイックリターンミラー４およびファインダ光学系１９などの構成および配置は、前述の構成および配置などに限定されない。【００８０】
例えば、撮影した画像を再生させる再生モードにおいて、液晶モニタ１６に異なる絞り値で撮影された画像を左右並べて表示させる構成であってもよい。これにより、ユーザーは絞り値と撮影された画像との関連性を感覚的に知ることができ、次に撮影するときの参考とすることができる。
（Ｇ）
前述の実施形態では、撮影条件として絞り値を変更させているが、撮影条件はこれに限定されない。例えば、比較する画像が異なるシャッタースピードで撮影された複数の画像であってもよい。
さらに、複数の画像を連写する際に、絞り値やシャッタースピードなどの撮影条件を変更しない場合も考えられる。この場合であっても、画像比較選択モードにおいて画像比較時の効率を高めることができる。【００８１】
（Ｈ）
基準画像と比較画像を並べて表示する際に一方の画像が反転された状態で２枚の画像が並んで表示されるようにしてもよい。これにより、撮影条件が異なる複数の画像の比較が容易となり、利便性が高まる。
（Ｉ）
前述の実施形態では、画像表示装置および撮像装置として一眼レフカメラを例に説明をしている。しかし、デジタルカメラ２００の実施形態は前述の実施形態に限定されない。例えば、このデジタルカメラ２００は、コンパクトカメラに適用することも可能である。特に、大きなサイズの撮像素子を有するコンパクトカメラについて適用した場合、基準枠として機能するカーソル枠９０の位置および範囲などの選択の自由度が高いため、この画像表示装置および撮像装置は効果的である。【００８２】
（Ｊ）
前述の実施形態では、図１６（Ａ）および（Ｂ）の表示例のように比較画像が新たな基準画像として選択されると、比較画像と基準画像の表示位置を入れ替えて、あらたな基準画像が変更前と同じ左側に表示するようにしたが、カーソル枠９０が合わされた画像が基準枠であると判断し、表示位置の変更をしなくてもよい。この場合、ダイヤル７８が回されて比較画像が他の画像に変更される際、カーソル枠９０が合わされていない方の画像が変更されるようにしてもよい。
前述の実施形態では、基準画像および比較画像は左右に並んでいるが、基準画像および比較画像が上下や斜めに並んでいる場合も考えられる。この場合でも前述の実施形態と同様の効果が得られる。【００８３】
（Ｋ）
前述の実施形態では、撮影条件の異なる２つの画像（基準画像、比較画像）を液晶モニタ１６に表示しているが、撮影条件の異なる３つ以上の画像を表示するようにしてもよい。例えば、３枚の画像を比較する場合、基準画像、第１比較画像および第２比較画像が液晶モニタ１６に表示される。
（Ｌ）
撮影条件としては、前述の絞り値以外に、例えば、撮影日時およびシャッタースピードが考えられる。撮影日時の場合は、撮影日時の古い順あるいは新しい順に選択部１２ｂが画像を選択し、シャッタースピードの場合は、シャッタースピードが速い順あるいは遅い順に選択部１２ｂが画像を選択する。【００８４】
（Ｍ）
上記説明に用いた座標軸、方向、各構成の配置等は、画像表示装置および撮像装置の使用状態を限定するものではない。
（Ｎ）
前述の実施形態では、表示管理部１２ａが表示対象を管理する際に識別情報としてファイル名を用いているが、識別情報はファイル名に限定されない。複数の画像から１枚の画像を特定できる情報であれば、識別情報は他の情報であってもよい。
（Ｏ）
前述の実施形態では、基準画像および比較画像のうち表示を継続したい画像（評価がよい画像）を選択する構成を採用しているが、他の画像に切り替えたい画像（評価がよくない画像）を選択する構成を採用してもよい。この場合、図１８のステップＳ１２１では、基準画像が選択された場合に、新たに比較画像が基準画像に設定され、比較画像が選択された場合には、ステップＳ１２３にて表示対象の有無が確認される。【００８５】
（Ｐ）
前述の実施形態では、基準画像および比較画像を表示対象から除外するステップＳ１２０が基準画像および比較画像を表示するステップＳ１２５の次に実行されるようになっているが、画像を表示対象から除外するステップＳ１２０は表示対象の有無を確認するステップＳ１２３よりも前であって、かつ、比較画像を新たに基準画像に設定するステップＳ１２２よりも前であれば、他の処理順序であってもよい。例えば、ステップＳ１２０はステップＳ１２０Ａ、Ｓ１２１またはＳ１２２の次に実行されてもよい。
また、前述の実施形態では、設定部１２ｃにより設定された基準画像および比較画像が表示対象から除外されているが、ステップＳ１２４で表示対象から比較画像として選択された画像（選択画像の一例）が表示管理部１２ａにより表示対象から除外されてもよい。この場合、選択部１２ｂにより表示対象から比較画像として選択された画像を表示対象から除外するタイミングは、選択部１２ｂが比較画像を選択するステップＳ１２４が実行されてからステップＳ１２３が実行されるまでの間であれば、どのタイミングでもよい。【００８６】
また、表示管理部１２ａが第１操作情報を利用して表示対象を管理する場合も考えられる。具体的には、ステップＳ１２０Ａで選択されていない方の画像が表示対象から除外されてもよい。ここで、第１操作情報とは、十字操作キー７３および決定ボタン７７に入力された情報であり、第１表示領域１６ａまたは第２表示領域１６ｂに表示された画像のうち一方の画像（あるいは、第１表示領域１６ａおよび第２表示領域１６ｂのうち一方の領域）を選択するため情報である。この場合、表示管理部１２ａは、第１表示領域１６ａおよび第２表示領域１６ｂに表示される２枚の画像のうち選択されていない画像（他方の画像）を表示対象から除外する。より詳細には、表示管理部１２ａは選択されていない画像のファイル名を記憶領域から消去する。
なお、ステップＳ１２０Ａで選択されていない方の画像が表示対象から除外されるタイミングは、ステップＳ１２０Ａが実行されてからステップＳ１２３が実行されるまでの間であれば、どのタイミングであってもよい。【００８７】
（Ｑ）
選択部１２ｂにより選択された選択画像は、ステップＳ１２５で液晶モニタ１６に表示されるまでの間は、表示予定の画像として取り扱われる。例えば、ステップＳ１２４にて選択部１２ｂにより選択画像が選択された後に、その選択画像が表示管理部１２ａにより表示対象から除外される場合は、未表示の画像であるにも関わらず表示予定の画像が表示対象から除外されることになる。
（Ｒ）
「所定のモード」として画像比較選択モードを例に実施形態を説明しているが、所定のモードは前述のモードに限定されない。例えば、重複した比較作業を効果的に削減できるようなモードであれば、前述の技術は適用可能である。
【産業上の利用可能性】
【００８８】
以上に説明した画像表示装置および撮像装置では、画像を比較する際の効率を高めることができる画像表示装置もしくは撮像装置を提供することが可能である。このため、以上に説明した画像表示装置および撮像装置は画像を表示する装置の分野で有用である。
【図１】
2009116260.tif 000003
【図２】
2009116260.tif 000004
【図３】
2009116260.tif 000005
【図４】
2009116260.tif 000006
【図５】
2009116260.tif 000007
【図６】
2009116260.tif 000008
【図７】
2009116260.tif 000009
【図８】
2009116260.tif 000010
【図９】
2009116260.tif 000011
【図１０】
2009116260.tif 000012
【図１１】
2009116260.tif 000013
【図１２】
2009116260.tif 000014
【図１３】
2009116260.tif 000015
【図１４】
2009116260.tif 000016
【図１５】
2009116260.tif 000017
【図１６】
2009116260.tif 000018
【図１７】
2009116260.tif 000019
【図１８】
2009116260.tif 000020
【図１９】
2009116260.tif 000021
【図２０】
2009116260.tif 000022
【図２１】
2009116260.tif 000023
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
複数の画像を記録するための記録部と、
前記記録部に記録された画像を表示する第１表示領域および第２表示領域を有する表示部と、
前記記録部に記録された前記複数の画像のうち、所定のモード中に前記表示部に未だ表示されていない少なくとも１枚の画像を、表示対象として管理する表示管理部と、
前記表示部に表示する画像を選択画像として前記表示対象から選択する選択部と、
前記選択画像を前記第１表示領域または前記第２表示領域に表示させる画像表示制御部と、
を備えた画像表示装置。
【請求項２】
前記表示管理部は、前記第１表示領域または前記第２表示領域に表示されている画像あるいは表示予定の画像を前記表示対象から除外する、
請求項１に記載の画像表示装置。
【請求項３】
前記記録部に記録されている前記複数の画像のうち２枚の画像を、前記第１表示領域および前記第２表示領域に表示する画像として、基準画像および比較画像に設定する設定部をさらに備え、
前記表示管理部は、前記設定部により設定された前記基準画像および前記比較画像を前記表示対象から除外する、
請求項２に記載の画像表示装置。
【請求項４】
前記第１表示領域および前記第２表示領域に表示される２枚の画像のうち一方の画像を選択するための第１操作情報の入力を受け付ける第１操作部をさらに備え、
前記第１操作情報が前記基準画像を選択する情報である場合、前記設定部は、前記選択画像を前記比較画像に設定し、
前記第１操作情報が前記比較画像を選択する情報である場合、前記設定部は、前記比較画像として設定されている画像を新たに前記基準画像に設定し、前記選択画像を前記比較画像に設定する、
請求項３に記載の画像表示装置。
【請求項５】
前記第１表示領域および前記第２表示領域に表示される２枚の画像のうち一方の画像を選択するための第１操作情報の入力を受け付ける第１操作部をさらに備え、
前記表示管理部は、前記第１操作情報を利用して前記表示対象を管理する、
請求項１または２に記載の画像表示装置。
【請求項６】
前記第１操作情報が、前記第１表示領域および前記第２表示領域に表示される２枚の画像のうち一方の画像を選択する情報である場合、前記表示管理部は、前記第１表示領域および前記第２表示領域に表示される２枚の画像のうち他方の画像を表示対象から除外する、
請求項５に記載の画像表示装置。
【請求項７】
前記表示管理部は、前記選択画像を前記表示対象から除外する、
請求項２に記載の画像表示装置。
【請求項８】
前記表示管理部は、前記表示対象として管理されている画像の識別情報を記憶する、
請求項１から７のいずれかに記載の画像表示装置。
【請求項９】
前記記録部は、前記画像が取得された際の撮影条件を前記画像とともに記録し、
前記選択部は、前記撮影条件に基づいて前記表示対象から前記選択画像を選択する、
請求項１から８のいずれかに記載の画像表示装置。
【請求項１０】
前記第１表示領域または前記第２表示領域に表示されている画像を選択する第２操作情報の入力を受け付ける第２操作部をさらに備え、
前記表示管理部は、前記第２操作部を用いて選択された画像を、前記表示対象に設定する、あるいは、前記表示対象として除外しない、
請求項１から９のいずれかに記載の画像表示装置。
【請求項１１】
被写体の光学像を形成する光学系と、
前記光学像を画像信号に変換し前記被写体の画像を取得する画像取得部と、
前記画像取得部により取得された前記画像を表示するための装置であって、請求項１から１０のいずれかに記載の画像表示装置と、
を備えた撮像装置。
【手続補正２】
【補正対象書類名】明細書
【補正対象項目名】全文
【補正方法】変更
【補正の内容】
【発明の詳細な説明】
【技術分野】
【０００１】
技術分野は、複数の画像を並べて表示できる画像表示装置および撮像装置に関する。
【背景技術】
【０００２】
近年、被写体の光学的な像を電気的な画像信号に変換して出力可能な撮像装置が急速に普及している。撮像装置としては、例えばデジタルスチルカメラが考えられる。デジタルスチルカメラの特徴の一つとして、ユーザーが撮影時に画像表示装置（例えば、画像表示用液晶モニタ）を見ながら撮影し、撮影後にすぐに撮影画像を確認できることが挙げられる。
【０００３】
デジタルスチルカメラによって撮影された画像は、撮影条件によって異なったものとなる。例えは、絞り値を変えることによって被写界深度が変化し、焦点を合わせた被写体の背景のぼけ具合を変えることができる。撮影画像の変化を確認する方法として、開放絞りにより撮影された画像信号と設定された絞り値により撮影された画像信号とを記憶し、一方の画像の一部を他方の画像に置き換えて表示装置に合成表示する撮像装置が提案されている（例えば、特許文献１参照）。
【先行技術文献】
【特許文献】
【０００４】
【特許文献１】特開２０００−１２５１５３号公報
【特許文献２】特開２００６−２３６８６号公報
【特許文献３】特開２００３−１８６４６１号公報
【発明の概要】
【発明が解決しようとする課題】
【０００５】
しかしながら、上記特許文献１に記載のカメラでは、３枚以上の画像を順次比較して１枚の画像を効率的に選択することができない。
【０００６】
そこで、複数の画像を比較できる画像表示装置が提案されている（例えば、特許文献２および３参照）。これらの画像表示装置では、関連のある複数の画像を並べて表示することができ、画像を比較する際に便利である。
【０００７】
しかし、複数の画像を並べて比較する際には、表示されている画像がすでに比較した画像か否かが把握しにくいため、同じ画像に対して重複して比較作業を行う場合が考えられる。このような重複作業は複数の画像を比較する際の効率を低下させる。
【０００８】
本発明の課題は、複数の画像を比較する際の効率を高めることができる画像表示装置および撮像装置を提供することにある。
【課題を解決するための手段】
【０００９】
第１の特徴に係る画像表示装置は、記録部と、表示部と、表示管理部と、選択部と、画像表示制御部と、を備えている。記録部は複数の画像を記録する。表示部は、記録部に記録された画像を表示する第１表示領域および第２表示領域を有している。表示管理部は、記録部に記録された複数の画像のうち、所定のモード中に表示部に未だ表示されていない少なくとも１枚の画像を表示対象として管理する。選択部は表示対象から表示部に表示する画像を選択画像として選択する。画像表示制御部は選択画像を第１表示領域または第２表示領域に表示させる。
【００１０】
この画像表示装置では、記録部に記録された複数の画像のうち所定モード中に表示部に未だ表示されていない少なくとも１枚の画像を、表示管理部が表示対象として管理する。表示対象から表示部に表示する画像が選択画像として選択部により選択され、選択画像が画像表示制御部により第１表示領域または第２表示領域に表示される。これらの構成により、表示部には、すでに表示された画像は表示されずに、未だ表示されていない画像を表示することができる。これにより、同じ画像を再度比較する重複作業の発生を防止でき、画像を比較する際の効率を高めることができる。
【００１１】
ここで、「所定のモード」としては、例えば、複数の画像を並べて表示して比較するモードのように、表示対象の管理が必要とされるモードが考えられる。「表示対象を管理」とは、例えば、未表示の画像を表示対象に設定したり、あるいは、すでに表示された画像を表示対象から除外したり、さらには、すでに表示された画像を何らかの条件に基づいて表示対象に再設定したりすることを意味している。
【００１２】
第２の特徴に係る撮像装置は、光学系と、画像取得部と、第１の特徴に係る画像表示装置と、を備えている。光学系は被写体の光学像を形成する。画像取得部は、光学像を画像信号に変換し、被写体の画像を取得する。画像表示装置は画像取得部により取得された画像を表示する。
【００１３】
この撮像装置では、第１の特徴に係る画像表示装置を備えているため、画像を比較する際の効率を高めることができる。
【００１４】
ここで、画像表示装置としては、例えはコンパクトデジタルカメラ、交換レンズ式デジタルカメラおよびデジタルビデオカメラのような画像を表示できる装置が考えられる。また、撮像装置は、コンパクトデジタルカメラ、交換レンズ式デジタルカメラおよびデジタルビデオカメラのように、静止画のみ撮影可能な装置、動作のみ撮影可能な装置、および、静止画および動画を撮影可能な装置が考えられる。
【発明の効果】
【００１５】
以上に説明した画像表示装置および撮像装置では、画像を比較する際の効率を高めることができる画像表示装置もしくは撮像装置を提供することが可能である。
【図面の簡単な説明】
【００１６】
【図１】デジタルカメラの全体構成図
【図２】ファインダ撮影モードを説明する概念図
【図３】モニタ撮影モードを説明する概念図
【図４】デジタルカメラの上面図
【図５】デジタルカメラの背面図
【図６】カメラ本体の制御システムを示すブロック図
【図７】交換レンズユニットの制御システムを示すブロック図
【図８】撮影画像の記録用フォルダ構成を説明する概念図
【図９】比較再生モードのフローチャート
【図１０】比較再生モード（拡大表示モード）のフローチャート
【図１１】一連の画像を選択するためのサムネイル表示を示す図
【図１２】（Ａ）および（Ｂ）基準画像を選択する操作時の表示例
【図１３】（Ａ）および（Ｂ）比較画像を選択する操作時の表示例
【図１４】拡大対象領域を選択する操作時の表示例
【図１５】拡大表示の表示例
【図１６】（Ａ）および（Ｂ）画像選択過程において比較画像を変更した操作時の表示例
【図１７】拡大表示モード中の比較画像を変更する操作時の表示例
【図１８】画像比較選択モードのフローチャート
【図１９】（Ａ）および（Ｂ）画像比較選択モードの表示例
【図２０】（Ａ）および（Ｂ）画像比較選択モードの表示例
【図２１】画像比較選択モードのフローチャート（他の実施形態）
【発明を実施するための形態】
【００１７】
＜1：デジタルカメラの全体構成＞
（１．１：全体構成）
本実施形態に係るデジタルカメラ２００について説明する。図１にデジタルカメラ２００の全体構成図を示す。
【００１８】
図１に示すデジタルカメラ２００（撮像装置の一例）は、交換レンズ式のデジタル一眼レフレックスカメラであり、カメラ本体１と交換レンズユニット２とを備えている。
【００１９】
カメラ本体１と交換レンズユニット２とは、交換レンズユニット２のレンズマウント２１の電気接片（図示せず）と、カメラ本体１のボディーマウント２３の電気接片（図示せず）とを介して、各種の制御信号の通信を行う。
【００２０】
（１．２：交換レンズユニットの構成）
交換レンズユニット２は、レンズマウント２１を有し、レンズマウント２１を介してカメラ本体１の前面に設けられたボディーマウント２３に取り外し可能に装着される。
【００２１】
交換レンズユニット２は、主に、デジタルカメラ２００の撮像センサ１１（後述）に被写体像を結ぶための光学系Ｌと、光学系Ｌの絞り値を調整するための絞り設定部２９と、交換レンズユニット２の各種シーケンスを制御するレンズマイコン２０と、を有している。
【００２２】
光学系Ｌは、ズームレンズ群（図示せず）と、フォーカスレンズ群２５と、絞りユニット２８とを有している。交換レンズユニット２内には、フォーカスレンズ群２５を駆動制御するフォーカス制御部２６が搭載されている。
【００２３】
絞り設定部２９は、主に、ユーザーが回転操作することで絞り値を入力することができる絞りリング４０と、絞りリング４０の回転角度に応じた物理量を出力する絞りリニアセンサ（図示せず）と、絞りユニット２８の絞り羽根を駆動する絞り駆動モータ２８ｂと、設定された絞り値となるように絞りを調整する絞り制御部２７と、を有している。
【００２４】
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、ＲＯＭおよびＲＡＭ（図示せず）が搭載されており、メモリに格納されたプログラムがＣＰＵに読み込まれることで、様々な機能を実現することができる。レンズマイコン２０は、フォーカス制御部２６、絞り制御部２７、シフト制御部（図示せず）等に対し、例えば制御信号やコマンドを出力することで、フォーカス制御部２６、絞り制御部２７、シフト制御部（図示せず）等にそれぞれの制御を実行させる。
【００２５】
また、レンズマイコン２０は、ボディーマイコン１２とインターフェースを介して接続され、ボディーマイコン１２との間で通信を行う。レンズマイコン２０は交換レンズユニット２に関する各種レンズ情報を保持している。レンズ情報は例えばＲＯＭに格納されている。
【００２６】
（１．３：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２と、を有している。
【００２７】
カメラ本体１内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。
【００２８】
画像表示制御部１５は、撮像センサ１１から読み出された画像データに対して所定の画像処理が行われた後、液晶モニタ１６に撮影画像が表示されるよう液晶モニタ１６を制御する。後述する画像比較選択モードでは、画像表示制御部１５は、選択部１２ｂ（後述）により選択された画像（選択画像の一例、表示予定の画像の一例）を液晶モニタ１６の第１表示領域１６ａまたは第２表示領域１６ｂに表示させる。また、画像表示制御部１５は、表示操作部６９に入力された情報に基づいて、第１表示領域１６ａおよび第２表示領域１６ｂのうち表示操作部６９により選択された領域とは異なる領域に、選択部１２ｂにより新たに選択された画像を表示させる。画像比較選択モードの詳細は後述する。
【００２９】
クイックリターンミラー４は、主に、入射光を反射および透過可能なメインミラー４ａと、メインミラー４ａの背面側に設けられメインミラー４ａからの透過光を反射するサブミラー４ｂと、を有しており、クイックリターンミラー制御部６０により光路Ｘ外に跳ね上げが可能である。クイックリターンミラー４は、図２に示す光路Ｘの中に置かれる位置と、図３に示す光路Ｘの外に置かれる位置とを移動可能に設置されている。|
交換レンズユニット２を通過した被写体光は、メインミラー４ａにより２つの光束に分割され、反射光束はファインダ光学系１９へ導かれ、透過光束は、サブミラー４ｂで反射されて、焦点検出用ユニット５に導かれる。
【００３０】
ファインダ光学系１９は、主に、被写体像が結像されるファインダースクリーン６と、被写体像を正立像に変換するペンタプリズム７と、被写体の正立像をファインダ接眼窓９に導く接眼レンズ８と、ユーザーが被写体像を観察するファインダ接眼窓９とを有している。メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
【００３１】
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
【００３２】
撮像部は、主に、撮像センサ１１と、撮像センサ１１を制御する撮像センサ制御部１３と、を有しており、被写体像を撮影画像として取得する。撮像部により、入射光による被写体像（被写体の光学像）が、撮影画像を形成する電気的な画像信号に変換される。
【００３３】
表示部は、モニタの一例としての液晶モニタ１６と、液晶モニタ１６の動作を制御する画像表示制御部１５と、を有している。液晶モニタ１６は、第１表示領域１６ａと第２表示領域１６ｂとを含む表示領域を有し、撮像部で取得した撮像画像（あるいは、記録媒体に記録されている画像）を画像表示領域１００に表示する。なお、液晶モニタ１６は画像を表示するモニタの一例であり、例えば、有機ＥＬ、無機ＥＬ、プラズマディスプレイパネル等を用いてもよい。
【００３４】
画像記録部１８は、例えば、内部メモリやリムーバブルメモリなどの記録媒体（図示せず）に撮影画像の記録を行ったり、記録媒体から撮影画像を読み出したりする。画像記録部１８には、リムーバブルメモリを取り外し可能に装着することができる。画像記録部１８の記録および読み出しは画像記録制御部１７により制御される。画像記録部１８および記録媒体により複数の画像を記録する記録部が形成されている。
【００３５】
リムーバブルメモリは、画像データまたはその画像データに所定の処理が施された画像データを記憶可能である。また、デジタル化された音声信号等も記憶可能である。
【００３６】
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。
【００３７】
ボディーマイコン１２は、例えば、表示管理部１２ａ、選択部１２ｂおよび設定部１２ｃの機能を有している。具体的には、表示管理部１２ａは、画像記録部１８に記録された複数の画像のうち、画像比較選択モード（所定のモードの一例）中に液晶モニタ１６に未だ表示されていない画像を、表示対象として管理する。具体的には、表示管理部１２ａは、例えば表示対象として管理されている画像のファイル名を識別情報として記憶する。また、表示管理部１２ａは、液晶モニタ１６に表示された画像のファイル名を記憶領域から消去することで、画像比較選択モードにおいて液晶モニタ１６に表示された画像を表示対象から除外する。つまり、表示管理部１２ａに記憶されているファイル名は、画像比較選択モード中に液晶モニタ１６に表示されていない画像を示しており、表示管理部１２ａに記憶されていないファイル名は、画像比較選択モード中に液晶モニタ１６にすでに表示された画像を示している。
【００３８】
以上のように、「表示対象の管理」とは、例えば、未表示の画像を表示対象に設定したり、あるいは、すでに表示された画像を表示対象から除外したりすることを意味している。
【００３９】
選択部１２ｂは、表示管理部１２ａにより管理されている表示対象から、液晶モニタ１６に表示する画像を選択画像として選択する。表示対象として複数の画像が存在する場合、選択部１２ｂは、画像とともに記録された撮影条件に基づいて表示対象から画像を選択する。本実施形態では、選択部１２ｂは、絞り値が最も小さい画像を表示対象から選択する。表示管理部１２ａおよび選択部１２ｂによる処理が行われる画像比較選択モードについては後述する。
【００４０】
設定部１２ｃは、比較再生モードおよび画像比較選択モードにおいて、画像記録部１８に記録されている複数の画像のうち２枚の画像を、第１表示領域１６ａおよび第２表示領域１６ｂに表示する画像として、基準画像および比較画像に設定する。例えば、表示操作部６９を用いてユーザーに選択された画像を基準画像に設定し、選択部１２ｂにより選択された画像を比較画像に設定する。
【００４１】
ボディーマイコン１２は、シャッター制御部１４、撮像センサ制御部１３、画像表示制御部１５、画像記録制御部１７等に対し、例えば制御信号やコマンドを出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
【００４２】
（１．４：ファインダ撮影モードとモニタ撮影モード）
このデジタルカメラ２００は、撮影モードとして、ファインダ撮影モードとモニタ撮影モードとを有する。ファインダ撮影モードは、ユーザーがファインダ接眼窓９を介して被写体を観察しながら撮影する撮影モードであり、従来の一眼レフカメラにおける通常の撮影モードである。
【００４３】
このファインダ撮影モードにおいては、図２に示すように、クイックリターンミラー４は、光路Ｘ内の所定位置に配置されており、被写体光は、ファインダ光学系１９に導かれるので、ユーザーは、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
【００４４】
一方、モニタ撮影モードは、ユーザーが液晶モニタ１６に表示される被写体を観察しながら撮影するモードである。モニタ撮影モードにおいては、図３に示すように、クイックリターンミラー４が光路Ｘ内から退避する。液晶モニタ１６には、撮像センサ１１を介して被写体の画像が表示される。
【００４５】
（１．５：デジタルカメラの上面の構成）
図４はデジタルカメラ２００の上面図である。なお、図４に示すように、Ｘ軸、Ｙ軸およびＺ軸を定義する。すなわち、光学系Ｌを構成するレンズ（図示せず）の光軸と平行にＺ軸を定義し、撮影画像の長辺方向と平行にＹ軸を定義し、撮影画像の短辺方向と平行にＸ軸を定義する。
【００４６】
デジタルカメラ２００は、被写体を撮影する際にユーザーにより支持される筐体を有する。このカメラ本体１は、レリーズボタン３０と、シャッタースピード設定ダイヤル３１と、を有している。シャッタースピード設定ダイヤル３１はシャッタースピードの設定を行う操作部材である。
【００４７】
また、カメラ本体１は、液晶モニタ１６を含む。液晶モニタ１６は、カメラ本体１のユーザー側の面に設けられている。液晶モニタ１６の作用については後述する。
【００４８】
交換レンズユニット２は、最も被写体側（Ｚ軸方向正側）に、フィルタマウント３７を持つ。交換レンズユニット２は、フィルタマウント３７からカメラ本体１側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
【００４９】
ズームリング３８は、ズーミング操作を受け付ける操作部材である。ユーザーによりズームリング３８が回転操作されると、デジタルカメラ２００はズーミング、すなわち、光学系Ｌの焦点距離の変更を行う。
【００５０】
フォーカスリング３９は、焦点調節動作を受け付ける操作部材である。ユーザーによりフォーカスリング３９が回転操作されると、デジタルカメラ２００は焦点調節動作、すなわち、光学系Ｌの物点距離の変更を行う。
【００５１】
絞りリング４０は、しぼり値設定動作を受け付ける操作部材である。ユーザーにより絞りリング４０が回転操作されると、デジタルカメラ２００は設定された絞り値となるように絞りを調整する。
【００５２】
（１．６：デジタルカメラの背面の構成）
図５は、本実施形態に係るデジタルカメラ２００の背面図である。カメラ本体１は、電源ボタン７０、撮影／再生モード切り替えレバー７１、ＭＥＮＵボタン７２、十字操作キー７３、ＳＥＴボタン７４、深度確認ボタン７６、撮影モード切り替えボタン７５、及び拡大モードボタン７９を有している。
【００５３】
電源ボタン７０は、デジタルカメラ２００の電源のＯＮ／ＯＦＦを行う操作部材である。
撮影／再生モード切り替えレバー７１は、レバーの切り替えを行うことにより、撮影モードと再生モードとの切り替えを行う操作部材である。ここで、撮影モードとは、デジタルカメラ２００において、被写体を新たに撮影して画像信号にするために設定されるモードである。また、再生モードとは、デジタルカメラ２００において、既に撮影して格納されている画像信号を表示させるために設定されるモードである。
【００５４】
ＭＥＮＵボタン７２は、液晶モニタ１６に、各種操作メニューを表示させるための操作部材である。十字操作キー７３は、上下、左右の矢印キーを有し、各種操作メニューの表示項目を選択するための操作部材である。液晶モニタ１６に表示されている画像をある特定の目的で選択する際に、十字操作キー７３と決定ボタン７７とからなる表示操作部６９（第１操作部の一例）が用いられる。十字操作キー７３および決定ボタン７７はユーザーによる操作を受け付ける。より詳細には、十字操作キー７３および決定ボタン７７の操作内容をボディーマイコン１２が検知する。表示部に表示された複数枚の画像のうちユーザーが選択したい画像を十字操作キー７３で選択して決定ボタン７７を押すことで、ユーザーにより選択された画像が最終的に確定する。後述する画像比較選択モードでは、表示操作部６９により、第１表示領域１６ａおよび第２表示領域１６ｂに表示されている２枚の画像のうち一方を選択することができる。十字操作キー７３および決定ボタン７７に入力された情報は、第１表示領域１６ａおよび第２表示領域１６ｂに表示された２枚の画像のうち一方の画像（あるいは、第１表示領域１６ａおよび第２表示領域１６ｂのうち一方の領域）を選択するため第１操作情報の一例である。
【００５５】
ＳＥＴボタン７４は、各種操作メニューの表示項目を確定するための操作部材である。画像選択部は十字操作キー７３もしくはダイヤル７８からなり、比較再生モードの中で操作することによって液晶モニタ１６の第２表示領域１６ｂに表示されている画像を、一連の画像の中の他の画像に変更する。
【００５６】
撮影モード切り替えボタン７５は、撮影モードにおいて、ファインダ撮影モードとモニタ撮影モードとを切り替えるための操作部材である。ファインダ撮影モードにおいて撮影モード切り替えボタン７５が押されるとモニタ撮影モードに切り替わり、モニタ撮影モードにおいて撮影モード切り替えボタン７５が押されるとファインダ撮影モードに切り替わる。
【００５７】
深度確認ボタン７６は、後述する絞込みモードへ移行させるためのボタンである。デジタルカメラ２００では、ユーザーがこの深度確認ボタン７６を押すことにより、絞り込みモードへと移行する。
【００５８】
また、カメラ本体１の背面には、画像比較選択モードボタン８０が設けられている。画像比較選択モードボタン８０は、複数の画像を比較し最適な１枚の画像を決定する画像比較選択モードに切り換えるためのボタンである。画像比較選択モードボタン８０が操作されると、ボディーマイコン１２により画像比較選択モードが開始される。画像比較選択モードボタン８０が再度操作されると、画像比較選択モードが終了する。
【００５９】
（１．７：カメラ本体の制御システム）
図６は、カメラ本体１の制御システムを示すブロック図である。
【００６０】
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、深度確認ボタン７６と、拡大モードボタン７９とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を有している。
【００６１】
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
【００６２】
レリーズボタン３０は、ボディーマイコン１２へシャッタータイミングを示す情報を送信する。シャッタースピード設定ダイヤル３１は、設定されたシャッタースピード情報及びシャッターモード情報を送信する。
【００６３】
撮像センサ１１は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光電変換素子である。撮像センサ１１は、交換レンズユニット２の光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
【００６４】
図６に示すように、画像信号は撮像センサ１１からアナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
【００６５】
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）などのメモリである。
【００６６】
バッファメモリ５４から出力された画像信号は、画像記録制御部１７からの命令に従って、画像圧縮部５６に送信される。画像圧縮部５６は、画像記録制御部１７の命令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
【００６７】
圧縮された画像信号は、画像圧縮部５６から画像記録部１８及び液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて液晶モニタ１６を制御する。
【００６８】
画像記録部１８は、画像記録制御部１７の命令に基づいて、画像信号を内部メモリやリムーバブルメモリ等の記録媒体に記録する。画像記録部１８は、画像記録制御部１７の命令に基づいて、画像信号とともに記憶すべき情報を記録媒体に記録する。画像信号とともに記憶される情報としては、例えば、画像を撮影した際の日時，焦点距離情報，シャッタースピード情報，絞り値情報および撮影モード情報が考えられる。
【００６９】
液晶モニタ１６は、画像表示制御部１５の命令に基づいて、画像信号を可視画像として表示する。液晶モニタ１６は、画像表示制御部１５の命令に基づいて、画像信号とともに各種情報を表示する。画像信号とともに表示される情報としては、例えば、焦点距離情報，シャッタースピード情報，絞り値情報，撮影モード情報および合焦状態情報が考えられる。
【００７０】
また、液晶モニタ１６は、画像表示制御部１５の命令に基づいて、所定の撮影／再生モードにおいて、ユーザーが各種設定を行う設定画面を表示する。
【００７１】
ユーザーが撮影する場合には、まず、電源ボタン７０をＯＮにする。これによりデジタルカメラ２００本体の電源が入る。次に、撮影／再生モード切り替えレバー７１を撮影モードに合わせる。これにより液晶モニタ１６には、撮像センサ１１により電気的な画像信号に変換された被写体の光学像が可視画像として、画像表示制御部１５の命令に基づいて表示される。
【００７２】
デジタルカメラ２００が撮影モードにある状態において、ユーザーがＭＥＮＵボタン７２を押すと、液晶モニタ１６は、画像表示制御部１５の命令に基づき、撮影モードにおいてユーザーにより変更可能な設定の項目を、アイコン化した設定メニュー画像として表示する。
【００７３】
（１．８：交換レンズユニットの制御システム）
図７は交換レンズユニット２の制御システムを示すブロック図である。
【００７４】
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
【００７５】
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を光学系Ｌの焦点距離情報に変換する。ズーム制御部６２は、焦点距離情報をレンズマイコン２０へ送信する。
【００７６】
フォーカス制御部２６は、フォーカスリニアセンサ６３から信号をＡ／Ｄ変換部６４を介して受信可能であり、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの命令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００７７】
絞り制御部２７は、絞りリニアセンサ６６から信号をＡ／Ｄ変換部６７を介して受信可能であり、絞り駆動モータ２８ｂへ信号を送信可能である。絞り制御部２７は、絞りリニアセンサ６６により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの命令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
【００７８】
＜２：デジタルカメラの動作＞
次に、デジタルカメラ２００の動作について説明する。
【００７９】
（２．１：電源ＯＮ時の動作）
ユーザーにより電源ボタン７０がＯＮにされると、デジタルカメラ２００本体の電源が入る。そして、デジタルカメラ２００内のボディーマイコン１２および各種ユニットには、図示しない電源部から電力が供給される。同様に、電源部からレンズマウント２１およびボディーマウント２３を介して、交換レンズユニット２内のレンズマイコン２０および各種ユニットに電力が供給される。ボディーマイコン１２は、レンズマウント２１およびボディーマウント２３を介して、各種レンズデータを受け取り、内蔵するメモリ６８に保存する。
【００８０】
（２．２：ファインダ撮影モードの動作）
まず、図１、図２、図６および図７に基づき、ユーザーが、ファインダ接眼窓９を覗いて撮影するファインダ撮影モードにおける駆動シーケンスについて説明する。
【００８１】
ファインダ撮影モードでは、上述のようにファインダ接眼窓９から被写体を確認することができる。ユーザーは、ファインダ接眼窓９を覗いて構図を決定すると、オートフォーカス等を行うためにレリーズボタン３０の半押し操作を行う。
【００８２】
ユーザーのレリーズボタン３０の半押し操作により、デジタルカメラ２００はオートフォーカスを行う。具体的には、ボディーマイコン１２は、焦点検出用ユニット５より、焦点ずれ量（以後、「Ｄｆ量」ともいう）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。なお、デジタルカメラ２００はオートフォーカスを行うか否かの切り替え設定が可能である。オートフォーカスを行わない設定の場合、マニュアルフォーカスが可能である。マニュアルフォーカスは、ユーザーがフォーカスリング３９を回転操作することにより行う。フォーカスリング３９の回転により上述のようにフォーカス駆動モータ６５が駆動され、フォーカスレンズが光軸Ｘ方向に移動し、光学系Ｌの物点距離が変更される。
【００８３】
この後、ユーザーによりレリーズボタン３０が全押しされると、ボディーマイコン１２は、レンズマイコン２０に対して、絞り値を図示しない測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、シャッターユニット１０は、図示しない測光センサからの出力に基づいて計算されたシャッタースピードの時間だけ、撮像センサ１１を露光する。
【００８４】
露光完了後、撮像センサ制御部１３により撮像センサ１１から読み出された画像データは、所定の画像処理を実行された後、液晶モニタ１６に撮影画像として表示される。また、撮像センサ１１から読み出され所定の画像処理を実行された画像データは、画像記録部１８を介して記録媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
【００８５】
（２．３：モニタ撮影モードの動作）
次に、図１、図３、図６および図７に基づき、ユーザーが液晶モニタ１６を用いて撮影するモニタ撮影モードにおける駆動シーケンスについて説明する。
【００８６】
液晶モニタ１６を用いて撮影する場合、ユーザーは、撮影モード切り替えボタン７５を操作して、モニタ撮影モードに設定する。モニタ撮影モードに設定されると、ボディーマイコン１２は、クイックリターンミラー４を光路Ｘ内から退避させる（図３）。これにより、被写体からの光が撮像センサ１１に達する。撮像センサ１１は、撮像センサ１１上に結像される被写体からの光を画像データに変換し、画像データとして取得し、出力する。撮像センサ制御部１３により撮像センサ１１から読み出された画像データは、所定の画像処理を実行された後、液晶モニタ１６に撮影画像として表示される。撮像センサ１１による画像データの取得は所定の間隔で行われ、取得された画像データにより撮影画像が液晶モニタに逐次更新されて表示される。このようにして、被写体の動画像を液晶モニタ１６に表示させることにより、ユーザーは、ファインダ接眼窓９を覗くことなく、被写体を追いかけることが可能となる。モニタ撮影モードにおいて、液晶モニタ１６は電子ビューファインダとして機能する。
【００８７】
次に、ユーザーのレリーズボタン３０の半押し動作により、ボディーマイコン１２は、クイックリターンミラー制御部６０により、クイックリターンミラー４を光路Ｘ内の所定位置に戻し（図２）、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００８８】
この後、ボディーマイコン１２は、ユーザーによりレリーズボタン３０が全押しされると、レンズマイコン２０に対して、絞り値を図示しない測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる（図３）。クイックリターンミラー４の退避完了後、撮像センサ制御部１３は、撮像センサ１１の駆動を指示し、シャッターユニット１０の動作を指示する。なお、シャッターユニット１０は、図示しない測光センサからの出力に基づいて計算されたシャッタースピードの時間だけ、撮像センサ１１を露光する。
【００８９】
露光完了後、撮像センサ制御部１３により撮像センサ１１から読み出された画像データは、所定の画像処理が実行された後、液晶モニタ１６に撮影画像として表示される。また、撮像センサ１１から読み出され、所定の画像処理が施された画像データは、画像記録部１８を介して、リムーバブルメモリに画像データとして書き込まれる。また、露光終了後、クイックリターンミラー４は、光路Ｘ内から退避した状態に位置しており、引き続き、被写体の動画像を液晶モニタ１６に表示させる。
【００９０】
また、モニタ撮影モードを解除する場合には、ユーザーが、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される（図２）。また、デジタルカメラ２００の電源を切断する際にも、クイックリターンミラー４は、光路Ｘ内の所定位置に戻される（図２）。
【００９１】
（２．４：デジタルカメラの露出設定動作）
次に、図４、図６を用いて、デジタルカメラ２００の露出設定動作について説明する。露出は主にシャッタースピードと絞り値とにより設定される。デジタルカメラ２００は、通常撮影領域に対して自動でシャッタースピード及び絞り値を設定するプログラム撮影モードと、シャッタースピードを手動で設定し絞り値を自動で設定するシャッタースピード優先撮影モードと、絞り値を手動で設定しシャッタースピードを自動で設定する絞り優先撮影モードと、シャッタースピード及び絞り値を両方とも手動で設定するマニュアル撮影モードとの４つの露出設定モードを持つ。
【００９２】
デジタルカメラ２００の操作を行うユーザーは、絞りリング４０とシャッタースピード設定ダイヤル３１とを組み合わせて操作することにより、４つの露出設定モードを選択することができる。すなわち、ユーザーは、絞りリング４０の文字「Ａ」を指標３３と一致させた状態で、シャッタースピード設定ダイヤル３１をオートの位置に合わせることで、プログラム撮影モードに設定することができる。ユーザーは、絞りリング４０の文字「Ａ」を指標３３と一致させた状態で、シャッタースピード設定ダイヤル３１をマニュアル設定可能な位置に合わせることで、シャッタースピード優先撮影モードに設定することができる。ユーザーは、絞りリング４０の絞り値を表す文字「２」〜「１１」のいずれかを指標３３と一致させた状態で、シャッタースピード設定ダイヤル３１をオートの位置に合わせることで、絞り優先撮影モードに設定することができる。ユーザーは、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
【００９３】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
【００９４】
（２．５：オート絞りモードの露出設定動作）
絞りリニアセンサ６６は、絞りリング４０の回転角度に応じた信号をＡ／Ｄ変換部６７を介して絞り制御部２７へ出力する。絞りリング４０の文字「Ａ」を指標３３と一致させた状態にあるとき、ユーザーによりレリーズボタン３０が操作されると、絞り制御部２７は、絞りリニアセンサ６６から受信した信号に基づいて露出設定モードとしてオート絞りモードが設定されたとの情報をレンズマイコン２０およびボディーマイコン１２へ送信される。ボディーマイコン１２への送信は、レンズマイコン２０とボディーマイコン１２とのマイコン間通信を介して行われる。また、シャッタースピード設定ダイヤル３１は、回転角度に応じた信号をボディーマイコン１２へ出力する。
【００９５】
ボディーマイコン１２は、オート絞りモードが設定されたとの情報に基づいて、露出設定モードがオート絞りモードであると判断する。また、ボディーマイコン１２は、オート絞りモードが設定されたとの情報とシャッタースピード設定ダイヤル３１からの信号とに基づいて、露出設定モードがプログラム撮影モードとシャッタースピード優先撮影モードのいずれであるかを判断する。
【００９６】
ボディーマイコン１２は、デジタル信号処理部５３へ命令を送信する。デジタル信号処理部５３は、受信した命令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００９７】
ボディーマイコン１２は、演算結果に基づいて制御信号を生成する。ボディーマイコン１２は、演算された絞り値に基づく制御信号を、交換レンズユニット２のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
【００９８】
併せて、ボディーマイコン１２は、画像表示制御部１５に制御信号を送信する。画像表示制御部１５は、液晶モニタ１６を駆動する。液晶モニタ１６は、制御信号の内容がプログラム撮影モードを指示するものであるとき、露出設定モードがプログラム撮影モードである旨の表示を行う。液晶モニタ１６は、制御信号の内容がシャッタースピード優先撮影モードを指示するものであるとき、露出設定モードがシャッタースピード優先撮影モードである旨の表示を行う。
【００９９】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
【０１００】
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａによりシャッターユニット１０が駆動される。
【０１０１】
以上のようにして、デジタルカメラ２００のオート絞りモードによる露出設定が行われる。以上の動作は、ユーザーのレリーズボタン３０の操作後、瞬時に実行される。
【０１０２】
ボディーマイコン１２は、撮影が終了すると、画像記録制御部１７に制御信号を送信する。画像記録部１８は、画像記録制御部１７の命令に基づいて画像信号を記録媒体に記録する。
【０１０３】
画像記録部１８は、画像記録制御部１７の命令に基づいて、制御信号の内容がプログラム撮影モードを指示するものであるとき、画像信号とともに露出設定モードがプログラム撮影モードである旨の情報を記録媒体に記録する。画像記録部１８は、画像記録制御部１７の命令に基づいて、制御信号の内容がシャッタースピード優先撮影モードを指示するものであるとき、画像信号とともに露出設定モードがシャッタースピード優先撮影モードである旨の情報を記録媒体に記録する。
【０１０４】
（２．６：マニュアル絞りモードの露出設定動作）
次に、絞りリング４０の絞り値を表す文字「２」〜「１１」のいずれかの位置を指標３３と一致させた状態にあるとき、ユーザーによりレリーズボタン３０が操作されると、絞り制御部２７は、絞りリニアセンサ６６からＡ／Ｄ変換部６７を介して受信した信号に基づいて、ユーザーにより設定された絞り値に関する情報をレンズマイコン２０へ送信される。レンズマイコン２０は設定された絞り値に関する情報（以下、絞り値情報ともいう）をボディーマイコン１２へ出力する。また、シャッタースピード設定ダイヤル３１は、回転角度に応じた信号をボディーマイコン１２へ出力する。
【０１０５】
ボディーマイコン１２は、絞り値情報に基づいて露出設定モードがマニュアル絞りモードであると判断する。また、ボディーマイコン１２は、露出設定モードがマニュアル絞りモードであるとの判断結果と、シャッタースピード設定ダイヤル３１からの信号とに基づいて、露出設定モードが絞り優先撮影モードと、マニュアル撮影モードのいずれであるかを判断する。
【０１０６】
ボディーマイコン１２は、露出設定モードが絞り優先撮影モードである場合、デジタル信号処理部５３へ命令を送信する。デジタル信号処理部５３は、受信した命令に基づいて所定のタイミングで画像信号をボディーマイコン１２へ送信する。
【０１０７】
ボディーマイコン１２は、露出設定モードが絞り優先撮影モードである場合、次のような動作を行う。ボディーマイコン１２は、受信した画像信号と絞り値情報とに基づいてシャッタースピードを演算する。ボディーマイコン１２は、演算結果に基づいて制御信号を生成する。ボディーマイコン１２は、演算されたシャッタースピードに基づく制御信号をシャッター制御部１４へ送信する。
【０１０８】
ボディーマイコン１２は、露出設定モードがマニュアル撮影モードである場合、シャッタースピード設定ダイヤル３１により設定されたシャッタースピードについての情報をシャッター制御部１４へ送信する。
【０１０９】
併せて、ボディーマイコン１２は、画像表示制御部１５に制御信号を送信する。画像表示制御部１５は、液晶モニタ１６を駆動する。液晶モニタ１６は、制御信号の内容が絞り優先撮影モードを指示するものであるとき、露出設定モードが絞り優先撮影モードである旨の表示を行う。液晶モニタ１６は、制御信号の内容がマニュアル撮影モードを指示するものであるとき、露出設定モードがマニュアル撮影モードである旨の表示を行う。
【０１１０】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動され、絞りは設定された絞り値に対応した開口状態となる。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。そして、シャッターユニット１０は、設定されたシャッタースピードの期間だけ撮像センサ１１を露光する。
【０１１１】
以上のようにして、デジタルカメラ２００のマニュアル絞りモードによる露出設定が行われる。以上の動作は、ユーザーのレリーズボタン３０の操作後、瞬時に実行される。
【０１１２】
ボディーマイコン１２は、撮影が終了すると、画像記録制御部１７に制御信号を送信する。画像記録部１８は、画像記録制御部１７の命令に基づいて画像信号を記録媒体に記録する。
【０１１３】
画像記録部１８は、画像記録制御部１７の命令に基づいて、制御信号の内容が絞り優先モードを指示するものであるとき、画像信号とともに露出設定モードが絞り優先モードである旨の情報を記録媒体に記録する。画像記録部１８は、画像記録制御部１７の命令に基づいて、制御信号の内容がマニュアル撮影モードを指示するものであるとき、画像信号とともに露出設定モードがマニュアル撮影モードである旨の情報を記録媒体に記録する。
【０１１４】
（２．７：連続撮影モードの動作）
図１、図３、図６および図７に基づき、レリーズボタン３０の１回の操作により撮影条件を変えて複数の撮影を連続して行う連続撮影モードにおける駆動シーケンスについて説明する。
【０１１５】
撮影／再生モード切り替えレバー７１を回転し、連続撮影モードを選択操作すると、連続撮影モードが選択されたことがボディーマイコン１２に送信される。併せて、ボディーマイコン１２は、画像表示制御部１５に制御信号を送信する。画像表示制御部１５は、液晶モニタ１６を駆動する。液晶モニタ１６は、連続撮影を行う撮影条件を選択する操作画面の表示を行う。
【０１１６】
ユーザーは、十字操作キー７３を操作して操作画面に表示された撮影条件を選択し、ＳＥＴボタン７４を押して撮影条件を決定する。ボディーマイコン１２は、選択された撮影条件を判断する。撮影条件としては、例えば、画像の明るさや露出、絞り値などを変化させながら、複数の画像（以下、これらの画像を「一連の画像」ともいう）を連続撮影する。また、ユーザーは、十字操作キー７３を操作して変化させたい条件の値など決定する。
【０１１７】
以下、一例として、ユーザーが絞り値を変化させて連続撮影する動作を説明する。
【０１１８】
撮影条件として、絞り値が選択、決定されると、ボディーマイコン１２は、レンズマイコン２０に、絞り値が絞りリング４０により設定されている絞り値（例えばＦ８）に関わらず、設定可能な最小の絞り値（例えばＦ２）となるように命令する。
【０１１９】
併せて、ボディーマイコン１２は、画像表示制御部１５に制御信号を送信する。画像表示制御部１５は、液晶モニタ１６を駆動する。液晶モニタ１６は、制御信号の内容が絞り値変化による連続撮影モードを指示するものであるとき、絞り値変化による連続撮影モードである旨の表示を行う。
【０１２０】
ユーザーのレリーズボタン３０の全押し操作後、上述した露出設定モードが絞り優先撮影モードである場合と同様の撮影動作を、絞り値を最小値から１段ずつ大きくして繰り返し行う。以下、レリーズボタン３０の全押し操作後の動作を具体的に説明する。
【０１２１】
ボディーマイコン１２は、撮影に用いる絞り値に対する適切なシャッタースピードを演算する。ボディーマイコン１２は、演算結果に基づいて制御信号を生成する。ボディーマイコン１２は、演算されたシャッタースピードに基づく制御信号をシャッター制御部１４へ送信する（ステップＳ１）。
【０１２２】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動され、絞りは設定された絞り値に対応した開口状態となる。シャッター制御部１４は、ボディーマイコン１２からの制御信号に基づいてシャッター駆動モータ１０ａを駆動するための駆動信号を生成する（ステップＳ２）。
【０１２３】
シャッター駆動モータ１０ａは、駆動信号に基づいて駆動される。シャッター駆動モータ１０ａの駆動により、シャッターユニット１０が駆動される。そして、シャッターユニット１０は、設定されたシャッタースピードの期間だけ撮像センサ１１を露光する。撮像センサ１１は露光開始前に電荷をリセットし、露光により電荷を蓄積する。そして、撮像センサ１１は、画像信号を出力する（ステップＳ３）。
【０１２４】
以上のようにして、設定された撮影条件により１枚の画像の撮影を行う。ボディーマイコン１２は、撮影が終了すると、画像記録制御部１７に制御信号を送信する。画像記録部１８は、画像記録制御部１７の命令に基づいて、画像信号を記録媒体に記録する。ボディーマイコン１２は、前回の撮影時の絞り値が最大である場合は、撮影動作を終了する。前回の撮影時の絞り値が最大でない場合は、１段大きい絞り値を次の撮影に用いるようにレンズマイコン２０に命令する。命令を受けると、ステップＳ１の動作に戻る（ステップＳ４）。
【０１２５】
なお、絞り値を変化させる方法としては、最大値から最小値へ１段ずつ変化させる方法、２段ずつ変化させる方法等が考えられる。
【０１２６】
図８に、撮影された一連の画像をリムーバブルメモリなどの記録媒体８１に記録する際のフォルダ構造を示す。ユーザーが一連の画像を撮影するたびに記録媒体８１の下にフォルダが１つずつ作成される。フォルダ８２〜８６は、合計５回の連続撮影にそれぞれ対応するフォルダである。同時に、ボディーマイコン１２は、各フォルダに一連の画像（画像８２−１、８２−２、８２−３）を全て保存する。さらに、ボディーマイコン１２は一つのフォルダ８２に保存されている一連の画像がどの撮影条件を変化させて撮影された画像であるか、また、それぞれの画像についてのその値などの情報を記録するファイル８２−１００もフォルダ８２の中に保存する。この一連の画像の中で、画像８２−１の絞り値は２、画像８２−２のＦ値は５．６、画像８２−３のＦ値は８である。
【０１２７】
（２．８：比較再生モードの動作説明）
デジタルカメラ２００は、ユーザーが連続撮影された複数の画像を比較しやすいように再生する比較再生モードを有する。以下、比較再生モードの動作について説明する。
【０１２８】
図９および図１０は比較再生モードの動作を説明したフローチャートである。ボディーマイコン１２は、撮影／再生モード切り替えレバー７１により、比較再生モードが選択操作されたかどうか判断する（ステップＳ１０１）。比較再生モードが選択操作された場合には比較再生モードへ移行する（ステップＳ１０２）。
【０１２９】
比較再生モードに入ると画像表示制御部１５は図１１に示すように各フォルダの中の１枚の代表画像をサムネイルにて液晶モニタ１６に表示する。ユーザーは十字操作キー７３で図１１に示すように液晶モニタ１６に表示された複数のサムネイル画像から選択した１枚のサムネイル画像にカーソル枠９０を合わせて画像を選択し、決定ボタン７７を押すことで最適な画像の選択を行いたい一連の画像を選択する。図１１においてユーザーがサムネイル画像８２−１を選択した場合、ボディーマイコン１２は画像８２−１が保存されているフォルダ８２の中の一連の画像から最適な画像をユーザーに選択させる段階へと進む。画像表示制御部１５は液晶モニタ１６に画像８２−１を表示する。液晶モニタ１６は第１表示領域１６ａ（左側半分の領域）と第２表示領域１６ｂ（右側半分の領域）に２分割されており、いずれか一方の領域にカーソル枠９０が表示される。次に、ユーザーはダイヤル７８を回し、フォルダ８２に記録されている一連の画像の中から基準となる第１画像を選択する。このときの表示例を図１２（Ａ）および（Ｂ）に示す。最初に図１２（Ａ）の表示例のように、絞り値がＦ２の画像８２−１が表示されている。ダイヤル７８が右に１ステップ回転すると、図１２（Ｂ）の表示例のように、絞り値が次に大きいＦ５．６の画像８２−２が表示される。また、ダイヤル７８が左に１ステップ回転すると、図１２（Ａ）の表示例のように、絞り値が次に小さいＦ２の画像８２−１が表示される。ダイヤル７８の操作により基準となる画像を選択した後、十字操作キー７３を操作することにより、カーソル枠９０を画像の左半分、または、右半分に合わせ、どちらか一方に表示されている画像を基準画像として選択する（ステップＳ１０３）。
【０１３０】
その後、決定ボタン７７が操作されることにより基準画像を決定する（ステップＳ１０４）。以下、基準画像として、絞り値がＦ２の画像の左半分を選択した場合について説明を続ける。
【０１３１】
画像表示制御部１５は基準画像を液晶モニタ１６の片側（第１表示領域１６ａ）に表示する（ステップＳ１０５）。次に、画像表示制御部１５は液晶モニタ１６の、基準画像が表示されていない側（第２表示領域１６ｂ）に、第２画像を比較画像として表示する。画像表示制御部１５は、基準画像として選択された画像が記録されたフォルダ内の異なる画像を１枚選択し、基準画像と同一範囲、すなわち、カーソル枠９０で選択された左半分の画像を比較画像として液晶モニタ１６の右半分（第２表示領域１６ｂ）に表示する。本実施形態では、Ｆ５．６の画像８２−２の左半分の画像が液晶モニタ１６の右半分（第２表示領域１６ｂ）に表示される。このように、液晶モニタ１６には、撮影条件の異なる複数の画像のそれぞれ同一範囲が並べて表示される。
【０１３２】
次に、ユーザーはダイヤル７８を回し、フォルダ８２に記録されている一連の画像の中の基準画像を除いた画像の中から比較画像を選択する（ステップＳ１０６）。このときの表示例を図１３（Ａ）および（Ｂ）に示す。図１３（Ａ）の表示例のように、液晶モニタ１６は、第１表示領域１６ａに基準画像（絞り値がＦ２で取得された画像８２−１の左半分の画像）を、第２表示領域１６ｂに先程の比較画像（Ｆ５．６の画像８２−２の左半分の画像）を表示している。ダイヤル７８が右に１ステップ回転すると、図１３（Ｂ）の表示例のように、液晶モニタ１６は、右側に絞り値が次に大きいＦ８の画像８２−３の左半分の画像を表示する。また、ダイヤル７８が左に１ステップ回転すると、先程の図１３（Ａ）の表示例のように、液晶モニタ１６は、右側に絞り値が次に小さいＦ５．６の画像８２−２の左半分の画像を表示する。ダイヤル７８の操作により、液晶モニタ１６は、左側の基準画像を維持したまま、右側の比較画像を更新表示する。
【０１３３】
このとき、ボディーマイコン１２はファイル８２−１００の内容から、基準画像および比較画像の両者が絞り値を変化させた画像であること、及び、それぞれの絞り値を知ることができる。この情報をもとに、画像表示制御部１５は液晶モニタ１６に基準画像と比較画像の絞り値をそれぞれ表示する。
【０１３４】
ここで、基準画像と比較画像のどちらかを選択するに際して両画像の選択部分の拡大画像を比較したい場合、ユーザーは拡大モードボタン７９を押す（ステップＳ１０７）。ボディーマイコン１２は拡大モードボタン７９が押されたかを判断する（ステップＳ１０８）。拡大モードボタン７９が押された場合には拡大モードへと移行する。
【０１３５】
拡大モードではユーザーが十字操作キー７３を操作することで基準画像と比較画像の拡大したい箇所（拡大対象領域）を選択する。また、ユーザーがダイヤル７８を操作することで表示倍率を、それぞれ設定する（ステップＳ１０９）。このときの表示例を図１４に示す。拡大モードボタン７９が押されると、ステップＳ１０６の最後の表示（図１３（Ａ）の表示例）に、基準画像８２−１および比較画像８２−２のそれぞれ同一の領域を示す２つのカーソル枠９０が追加して表示される。ユーザーが十字操作キー７３を上下左右に操作すると、２つのカーソル枠９０は、これにともなって上下左右に移動する。移動後も、２つのカーソル枠９０は基準画像８２−１および比較画像８２−２のそれぞれ同一の領域を示す。ユーザーがダイヤル７８を回転させると、２つのカーソル枠９０は、ダイヤル７８の回転方向および回転量に従い、大きさが変更される。大きさの変更後も、２つのカーソル枠９０は基準画像８２−１および比較画像８２−２のそれぞれ同一の領域を示す。カーソル枠９０で示された領域が、拡大対象領域として選択される。このようにして、基準画像８２−１および比較画像８２−２のそれぞれ同一の領域が同期して選択される。なお、本実施形態では、基準画像の全範囲に対する拡大対象領域の範囲と比較画像の全範囲に対する拡大対象領域の範囲が同一となるようにしている。
【０１３６】
その後、決定ボタン７７が操作されることにより拡大対象領域を決定する（ステップＳ１１０）なお、後述する拡大表示において、拡大表示領域は拡大対象領域の大きさによらず一定とすることから、拡大箇所の大きさにより、同時に拡大倍率が決定される（同ステップ）。
【０１３７】
画像表示制御部１５は、基準画像、比較画像それぞれの拡大画像を基準画像、比較画像とともに液晶モニタ１６に表示する（ステップＳ１１１）。図１５は拡大表示の表示例である。画像表示制御部１５は、ステップ１１０での表示（図１４）に、基準画像８２−１の拡大対象領域の拡大画像１０３（以下、基準拡大画像ともいう）および比較画像８２−２の拡大対象領域の拡大画像１０４（以下、比較拡大画像ともいう）をオーバーラップして液晶モニタ１６に表示する。基準拡大画像１０３および比較拡大画像１０４の表示範囲は、拡大対象領域の大きさに関わらず、一定である。また、基準拡大画像１０３は基準画像８２−１にオ−バーラップして表示され、比較拡大画像１０４は比較画像８２−２にオ−バーラップして表示される。基準拡大画像１０３および比較拡大画像１０４は左右に並べて表示される。カーソル枠９０は、表示方法を変えて、拡大対象領域を示す拡大対象領域枠９１として表示される。また、基準画像８２−１または比較画像８２−２のいずれかを選択するカーソル枠９０が一方の画像表示範囲に表示される。
【０１３８】
拡大表示により焦点を合わせた被写体（女性）の背景（海）のぼけ具合を容易に比較することが可能となる。
【０１３９】
（拡大モード中の比較画像の変更動作）
拡大モードの表示状態において、比較画像の方が好ましいとユーザーが判断し、ユーザーにより比較画像が選択された場合、選択された比較画像を新たに基準画像とする。基準画像の変更後も、拡大モードの表示条件は維持する。図１６（Ａ）および（Ｂ）の表示例を用いて説明する。
【０１４０】
ユーザーは十字操作キー７３の左右を操作してカーソル枠９０を比較画像８２−２に合わせて比較画像８２−２を選択する（図１６（Ａ）の表示例）。その後、決定ボタン７７が操作されることによりボディーマイコン１２は比較画像８２−２が選択されたと判断する（ステップＳ１１２）。この場合は、画像表示制御部１５は比較画像８２−２を新たな基準画像として液晶モニタ１６の左半分（第１表示領域１６ａ）に表示する（ステップＳ１１３）。また、基準画像であった画像８２−１を比較画像として液晶モニタ１６の右半分（第２表示領域１６ｂ）に表示する（ステップＳ１１４）。また、拡大対象領域は維持したまま、基準画像８２−２の基準拡大画像１０３および比較画像８２−１の比較拡大画像１０４も同様に行う。（ステップＳ１１５）。本実施形態では、比較画像が選択されると、比較画像が新たに基準画像となるとともに、左右の表示が入れ替わる（図１６（Ａ）の表示例から図１６（Ｂ）の表示例へ）。
【０１４１】
拡大モードの表示状態において、ユーザーが別の画像を比較画像として選択すると、選択された画像を新たな比較画像として変更して表示する。比較画像の変更後も、拡大モードの表示条件は維持する。
【０１４２】
ユーザーがダイヤル７８を回すと、ボディーマイコン１２は比較画像の変更があると判断する（ステップＳ１１６）。ボディーマイコン１２は、フォルダ８２に記録されている一連の画像の中の基準画像８２−２および現在表示されている比較画像８２−１を除いた画像の中から比較画像８２−３を選択する。図１７に示すように、画像表示制御部１５は、比較画像を選択前の画像８２−１（図１６（Ｂ））から選択された画像８２−３に変更し、液晶モニタ１６に表示する（ステップＳ１１４）。
【０１４３】
このとき、拡大モードの表示条件は維持する。具体的には、ボディーマイコン１２は比較画像変更前の比較画像８２−１における拡大対象領域の位置、大きさを記憶する。画像表示制御部１５は比較画像変更後の比較画像８２−３において、ボディーマイコン１２に記憶した拡大対象領域と同一部分を同一倍率にて比較拡大画像１０４として液晶モニタ１６に表示する（ステップＳ１１５）。このように、画像表示制御部１５は、比較画像の変更に同期して比較拡大画像１０４を変更する。
【０１４４】
ボディーマイコン１２は、最適画像が選択されたかどうかを判断する（ステップＳ１１７）。具体的には、カーソル枠９０が基準画像８２−２に合わされた状態、すなわち、基準画像８２−２が選択された状態で決定ボタン７７が操作されることにより、ボディーマイコン１２は最適画像として基準画像８２−２が選択されたと判断する。そして、ボディーマイコン１２は、選択された基準画像８２−２を最適画像として決定する。
【０１４５】
（２．９：画像比較選択モードの動作）
上述の比較再生モードでは、使用者が一連の画像を比較して見ることに重点を置いている。
【０１４６】
しかし、一連の画像から最適画像を選択するには、上述の比較再生モードは、すでに比較した画像が再度表示されるため、画像を比較する際に重複作業が発生し、効率ではない。一連の画像の枚数が多いほどこの問題は顕著である。
【０１４７】
そこで、デジタルカメラ２００は、一連の画像から最適画像の選択を行うのに適した画像比較選択モードを有する。以下、画像比較選択モードの動作を説明する。図１８は、画像比較選択モードの動作を説明したフローチャートである。ここでは、比較選択の対象の画像として、前述の比較再生モードと同様に、一連の画像８２-１，８２−２，８２−３，８２−４が選択された場合を例に説明する。
【０１４８】
画像比較選択モードボタン８０が操作されると、ボディーマイコン１２は画像比較選択モードを開始する。具体的には、前述した図９に示すフローチャートのステップＳ１０３からステップＳ１０６までの処理が実行されることによって、基準画像８２−１が第１表示領域１６ａに、そして比較画像８２−２が第２表示領域１６ｂに、それぞれ表示される（ステップＳ１１９、図１９（Ａ））。このとき、一連の画像８２-１，８２−２，８２−３，８２−４のファイル名が表示管理部１２ａに記憶され、表示管理部１２ａにより画像８２-１，８２−２，８２−３，８２−４が未表示の画像として表示対象に設定される。より詳細には、表示管理部１２ａに、これらの画像８２−１，８２−２，８２−３，８２−４のファイル名「８２−１」、「８２−２」、「８２−３」および「８２−４」が記憶される。
【０１４９】
なお、一連の画像８２-１，８２−２，８２−３，８２−４はそれぞれ絞り値をＦ２，Ｆ５．６，Ｆ８，Ｆ１１に設定して連続撮影された画像である。これらの絞り値は、撮影条件として、画像８２-１，８２−２，８２−３，８２−４とともに記録媒体に記録されている。具体的には、記録媒体に記録されているファイル８２−１００（図８）に絞り値などの撮影条件が含まれている。各画像の絞り値は、ステップＳ１２５において、選択部１２ｂで画像を選択する基準として利用される。
【０１５０】
次に、処理がステップＳ１２０に進む。このステップに最初に入った場合には、画像８２-１，８２−２，８２−３，８２−４が表示管理部１２ａにより表示対象に設定されているが、ボディーマイコン１２の表示管理部１２ａは、記憶しているファイル名から、液晶モニタ１６に表示されている基準画像８２-１および比較画像８２−２のファイル名「８２−１」および「８２−２」を消去する。したがって、液晶モニタ１６に表示されていない残りの画像８２−３および８２−４が表示対象として表示管理部１２ａに記憶されている。表示管理部１２ａがファイル名を記憶および消去することで、フォルダ８２に入っている４枚の画像８２−１、８２−２、８２−３、８２−４のうち、画像比較選択モードの開始から未だ表示されていない画像８２−３および８２−４を表示対象に設定することができる（ステップＳ１２０）。
【０１５１】
次に、ボディーマイコン１２が表示操作部６９の決定ボタン７７の操作を監視する（ステップＳ１２０Ａ）。使用者が十字操作キー７３の左右を操作してカーソル枠９０を基準画像８２−１と比較画像８２−２のうちで好ましいと判断した方の画像に合わせ、決定ボタン７７を押すことにより、基準画像８２−１と比較画像８２−２のどちらか一方が選択される（ステップＳ１２１）。比較画像８２−２が選択された場合を例に説明を続ける。
【０１５２】
比較画像８２−２が選択されると、ボディーマイコン１２は、比較画像８２−２を新たに基準画像として設定し（ステップＳ１２２）、処理がステップＳ１２２に進む。一方、ステップＳ１２１において基準画像８２−１が選択されると、処理がステップＳ１２３に進む。
【０１５３】
ボディーマイコン１２は、未表示の画像があるかどうかを判断する（ステップＳ１２３）。具体的には、表示管理部１２ａに記憶されているファイル名に基づいて、表示対象が存在するか否かを判断する。ここでは、ファイル名「８２−３」および「８２−４」が表示管理部１２ａに記憶されているため、表示対象が画像８２−３および８２−４であることが判断でき、ボディーマイコン１２は、ステップＳ１２３でＹＥＳと判断し、処理がステップＳ１２５に進む。
【０１５４】
ステップＳ１２５では、ボディーマイコン１２は、表示対象の画像８２−３および８２−４の中から、比較画像として特定の条件にしたがって画像を選択する。例えば、絞り値が小さい順といった条件で選択するようにしてもよい。ここでは、表示対象の画像８２−３および８２−４から、絞り値が最も小さい画像８２−３をボディーマイコン１２の選択部１２ｂは比較画像として選択する。
【０１５５】
ボディーマイコン１２は、基準画像８２−２および比較画像８２−３としてどの画像が選択されたかを画像表示制御部１５に通知する。画像表示制御部１５は基準画像８２−２を液晶モニタ１６の左半分（第１表示領域１６ａ）に表示する。また、画像表示制御部１５は、液晶モニタ１６の右半分（第２表示領域１６ｂ）に、比較画像８２−３の左半分を表示する（ステップＳ１２５）。このときの液晶モニタ１６の表示例は図１９（Ｂ）のようになる。その後、ステップＳ１２０に戻る。なお、ステップＳ１２５において、画像表示制御部１５は液晶モニタ１６に未表示の画像の残り枚数、すなわち、表示対象の枚数を表示するようにしてもよい（図１９（Ａ）および（Ｂ））。この場合、例えば、表示管理部１２ａに記憶されているファイル名のデータ数が表示対象の枚数として表示される。
【０１５６】
処理がステップＳ１２０に戻って、ボディーマイコン１２は、基準画像８２−２と比較画像８２−３とを表示対象の画像８２−３および８２−４から除外する。具体的には、ボディーマイコン１２は、表示管理部１２ａに記憶されているファイル名から、比較画像８２−３のファイル名「８２−３」を消去する。これにより、表示対象は残り１枚の画像８２−４となる。
【０１５７】
ステップＳ１２１に進んで、基準画像８２−２と比較画像８２−３とを比較して使用者が基準画像８２−２を選択した場合を例に説明を続ける。基準画像８２−２が選択されると、処理がステップＳ１２３に進む。
【０１５８】
ステップＳ１２３では、表示管理部１２ａに記憶されている識別番号に基づいて、ボディーマイコン１２により未表示の画像８２−４があると判断され、処理がステップＳ１２４に進む。
【０１５９】
ステップＳ１２４では、ボディーマイコン１２は、表示対象の画像から、比較画像として撮影時の絞り値が最小である画像を選択する。この場合、表示対象が画像８２−４のみであるため、比較画像として画像８２−４が選択される。
【０１６０】
ステップＳ１２５では、ボディーマイコン１２は、基準画像８２−２および比較画像８２−４としてどの画像が選択されたかを画像表示制御部１５に通知する。画像表示制御部１５は基準画像８２−２を液晶モニタ１６の左半分（第１表示領域１６ａ）に表示する。また、画像表示制御部１５は、液晶モニタ１６の右半分（第２表示領域１６ｂ）に、比較画像８２−４を表示する（ステップＳ１２５）。このときの液晶モニタ１６の表示例は図２０（Ａ）のようになる。その後、処理はステップＳ１２０に戻る。
【０１６１】
ステップＳ１２０では、ボディーマイコン１２は、基準画像８２−２と比較画像８２−４とを表示対象から除外する。具体的には、ボディーマイコン１２は、表示管理部１２ａに記憶されているファイル名から、比較画像８２−４のファイル名「８２−４」を消去する。この結果、表示管理部１２ａにはファイル名が記憶されていないため、表示対象は０となる。
【０１６２】
処理がステップＳ１２１に進んで、基準画像８２−２と比較画像８２−４とを比較して使用者が基準画像８２−２を選択した場合を例に説明を続ける。基準画像８２−２が選択されると、処理がステップＳ１２３に進む。
【０１６３】
ステップＳ１２３では、表示対象が残っていないため、未表示の画像がないと判断され、処理がステップＳ１２６に進む。
【０１６４】
そして、ボディーマイコン１２は、基準画像８２−２を最適画像として決定する（ステップＳ１２６）。最後に、画像表示制御部１５が液晶モニタ１６に最適画像８２−２の全体を表示して（図２０（Ｂ））、ボディーマイコン１２は画像比較選択モードを終了する。
【０１６５】
以上のように、デジタルカメラ２００は、画像比較選択モードの開始から終了までの間に第１表示領域１６ａおよび第２表示領域１６ｂにそれぞれ表示された画像のうち一方が選択されると、他方の選択されなかった画像が画像比較選択モードの終了まで第１表示領域１６ａおよび第２表示領域１６ｂに表示されない。したがって、選択されなかった画像を再び比較する必要がなく、上記の画像比較選択モードにて画像を比較して好ましい画像を選択していくことにより、３以上の画像から最適な画像を効率よく選択することが可能となる。
【０１６６】
また、液晶モニタ１６上で２枚の画像（基準画像および比較画像）を比較するようになっているため、液晶モニタ１６が小さい場合でも各画像の表示サイズを比較的大きく維持でき、画像を比較するのが容易となる。
【０１６７】
（拡大モード中の比較画像の変更動作）
上述の拡大モードは、画像比較選択モード中においても有効である。画像比較選択モード中に拡大モードボタン７９が操作されると、拡大表示モードに移行する。また、比較再生モードにおける拡大表示モード中に画像比較選択モードボタン８０が操作されると、拡大表示モードを維持したまま画像比較選択モードに移行する。例えば、ステップＳ１１１の後（図１５）、画像比較選択モードボタン８０が操作されると、画像比較選択モードのステップＳ１１９の後の液晶モニタ１６の表示画面は図１５のようになる。すなわち、基準画像と比較画像の同一の領域がそれぞれ同一の倍率で拡大された表示がされる。
【０１６８】
その後、ステップＳ１２５において次の基準画像および比較画像を表示する際には、拡大モードの表示条件は維持される。すなわち、次の基準画像および比較画像に、それまでと同一領域をそれまでと同一の拡大率で拡大した表示がされる。
【０１６９】
以上のように、画像比較選択モードにおいて拡大モードを用いることにより、使用者は拡大表示された画像を比較して最適画像を選択することができ、画像の比較がより容易となる。
【０１７０】
（２．１０：深度確認モードの動作）
このデジタルカメラ２００では、撮影時の絞り値を決定するために、撮影前に、絞り値の異なる複数の画像を並べて比較できる深度確認モードがさらに設けられている。
【０１７１】
デジタルカメラ２００のボディーマイコン１２により、深度確認ボタン７６（図５）が押されたか否かが判断される。深度確認ボタン７６が押された場合には、深度確認モードに移行する。以下、深度確認モードについて具体的に説明する。
【０１７２】
深度確認ボタン７６が押されると、異なる絞り値で連続して撮影が行われる。具体的には、上述のステップＳ１からステップＳ４までの動作が連続で行われる。連続撮影された画像は、フォルダ８２内に記録される。
【０１７３】
続けて、比較再生モードに移行する。ここでは、撮影／再生モード切り替えレバー７１により、比較再生モードが選択操作されたかどうかにかかわらず、処理が比較再生モードに移行する。そして、ユーザーの操作により、最適画像の選択、決定される。
具体的には、上述したステップＳ１０３からステップＳ１１８の動作を行う。
【０１７４】
最適画像の選択には、上述の画像比較選択モードを用いることも可能である。ユーザーが画像比較選択モードボタン８０を操作すると、画像比較選択モードにより最適画像が選択される。具体的には、ステップＳ１１９からステップＳ１２６の動作を行う。
【０１７５】
続けて、最適画像として選択された画像と同じ絞り値に設定される。具体的には、ボディーマイコン１２は、最適画像として選択された画像についての絞り値をフォルダ８２に記録されたファイル８２−１００から取得し、当該絞り値をレンズマイコン２０に送信する。レンズマイコン２０は、絞り制御部２７に、当該絞り値に設定するように命令を出す。絞り制御部２７は、絞り駆動モータ２８ｂを駆動し、絞りを当該絞り値に設定する。
【０１７６】
続けて、設定された絞り値を用いたマニュアル絞りモードでの撮影待機状態に移行し、深度確認モードを終了する。
【０１７７】
その後、ユーザーは、深度確認モードで画像を比較した上で選択した最適画像と同じ絞り値での撮影をそのまま行うことができる。
【０１７８】
＜３：特徴＞
デジタルカメラ２００の特徴は以下の通りである。
【０１７９】
（１）
このデジタルカメラ２００では、比較再生モードおよび画像比較選択モードにおいて基準画像および比較画像が並んだ状態で液晶モニタ１６に表示されている。これにより、異なる撮影条件で撮影された２枚の画像を容易に比較することができる。また、比較画像と基準画像の入れ換え、比較画像と他の比較画像との入れ換えが可能であるため、複数の画像を比較する際の利便性が高まる。
【０１８０】
（２）
画像比較選択モードにおいて、記録媒体に記録された複数の画像８２−１〜８２−４のうち液晶モニタ１６に未だ表示されていない画像８２−３および８２−４を、表示管理部１２ａが表示対象として管理している（例えば、ステップＳ１２０およびＳ１２３）。具体的には、表示管理部１２ａは、表示対象として管理されている画像のファイル名を識別情報として記憶しており、ファイル名により表示対象の管理を行っている。同じ画像比較選択モードにおいて液晶モニタ１６にすでに表示された画像を表示対象から除外する場合は、表示管理部１２ａは、記憶しているファイル名から表示された画像のファイル名を消去する（例えば、ステップＳ１２０）。
【０１８１】
上記のように表示管理部１２ａにより表示対象を管理している状態で、表示管理部１２ａで管理されている表示対象から、液晶モニタ１６に表示する画像が選択画像として選択部１２ｂにより選択される。選択された画像は、画像表示制御部１５での制御により第１表示領域１６ａまたは第２表示領域１６ｂに表示される（例えば、ステップＳ１２４およびＳ１２５）。
【０１８２】
画像比較選択モードでは、表示管理部１２ａによる表示対象の管理が行われているため、液晶モニタ１６には、すでに表示された画像８２−１および８２−２は表示されずに、未だ表示されていない画像を表示することができる。つまり、同じ画像を再度比較するような重複作業の発生を防止でき、画像を比較する際の効率を高めることができる。
【０１８３】
（３）
また、画像が取得された際の撮影条件が画像とともに記録媒体に記録されており、画像比較選択モードでは選択部１２ｂにより撮影条件（例えば、絞り値）に基づいて表示対象から画像を選択する。これにより、撮影条件に応じて表示順序を最適化することができる。
【０１８４】
なお、本実施形態で説明されている画像とは、比較選択対象となっている撮影画像を意味しており、デジタルカメラ２００の状態を表示するアイコン等の画像を含まない。
【０１８５】
＜その他の実施形態＞
本発明の具体的な構成は、前述の実施形態に限られるものではなく、発明の要旨を逸脱しない範囲で種々の変更および修正が可能である。
【０１８６】
なお、以下の説明においては、前述の実施形態と実質的に同じ機能を有する構成については、同じ符号を付し、その詳細な説明は省略する。
【０１８７】
（Ａ）
前述の実施形態では、画像比較選択モードにおいて選択されなかった全ての表示画像を表示対象から除外しているが、後で再度比較したいとユーザーが判断した画像を保留する機能を設けてもよい。保留機能を実現する保留ボタン（第２操作部の一例）は、単独のボタンを設けてもよいし、画像比較選択モードにおいては例えばＳＥＴボタン７４を保留ボタンに設定してもよい。ここでは、ＳＥＴボタン７４を保留ボタンとして利用する構成を例に保留機能について説明する。
【０１８８】
画像比較選択モードが開始されると、ボディーマイコン１２がＳＥＴボタン７４に保留ボタンの機能を一時的に与える。つまり、画像比較選択モードでＳＥＴボタン７４が押されると、ボディーマイコン１２は保留画像の確定と認識する。十字操作キー７３およびＳＥＴボタン７４を用いて画像が選択されると、液晶モニタ１６に表示されているにも関わらず、選択された画像を表示管理部１２ａが表示対象に再設定する。
【０１８９】
具体的には図２１に示すように、ステップＳ１２０において基準画像および比較画像を表示対象から除外した後に、ボディーマイコン１２はＳＥＴボタン７４の操作を監視する（ステップＳ２０１）。ユーザーが十字操作キー７３により第１表示領域１６ａまたは第２表示領域１６ｂにカーソル枠９０を移動させ、ＳＥＴボタン７４の操作により画像が選択された場合は、表示管理部１２ａはＳＥＴボタン７４の操作に基づいて、選択された画像を表示対象に設定する（ステップＳ２０２）。ステップＳ２０１およびＳ２０２の後は、前述の実施形態のステップＳ１２０Ａ〜Ｓ１２６の処理が行われる。
【０１９０】
このように、すでに液晶モニタ１６に表示され表示対象から除外された画像を表示対象に再設定することで、この画像を表示対象として保留することができ、基準画像と保留画像とを再度比較することができる。つまり、画像比較時の効率の低下を抑制しつつ精度を高めることができる。
【０１９１】
なお、ＳＥＴボタン７４に入力される情報（つまり、ＳＥＴボタン７４が押されたという情報）は、第１表示領域１６ａまたは第２表示領域１６ｂに表示されている画像を表示対象として保留することを示す第２操作情報の一例である。
【０１９２】
また、ここでは、「表示対象の管理」には、未表示の画像を表示対象に設定したり、あるいは、すでに表示された画像を表示対象から除外したりすることに加えて、すでに表示された画像を何らかの条件に基づいて表示対象に再設定することも含まれ得る。
【０１９３】
さらに、基準画像および比較画像を表示対象から除外するステップＳ１２０がステップＳ２０１およびステップＳ２０２よりも後に実行される場合は、保留が確定された画像を表示管理部１２ａが表示対象に設定しなくてもよく、保留が確定された画像を表示対象から除外するステップが省略されるようなフローであればよい。
【０１９４】
（Ｂ）
前述の実施形態においては、デジタル一眼レフカメラを例に実施形態について説明したが、前述のデジタルカメラは撮像装置および画像表示装置の一例であって、画像表示装置および撮像装置は前述の実施形態に限定されない。画像表示装置は、複数の静止画を撮影可能なデジタルビデオカメラや、画像を表示できるＤＶＤプレーヤであってもよい。つまり、画像表示装置および撮像装置は画像を表示することができる装置であればよい。
【０１９５】
また、前述の実施形態においては、クイックリターンミラー４を有する交換レンズ式のデジタルカメラについて説明したが、クイックリターンミラー４を有さず、交換レンズユニット２からの被写体光を常に撮像センサ１１側に導くようなデジタルカメラであってもよい。
【０１９６】
（Ｃ）
前述の実施形態においては、デジタルカメラ２００は、画像比較選択モードの開始から終了までの間に第１表示領域１６ａおよび第２表示領域１６ｂにそれぞれ表示された画像のうち一方が選択されると、他方の選択されなかった画像を画像比較選択モードの終了まで第１表示領域１６ａおよび第２表示領域１６ｂに表示しない。このとき、選択を誤った場合に大切な画像が削除されないようにするために、選択されなかった画像は記録媒体から自動的に削除しないことが望ましい。
【０１９７】
また、深度確認モードの終了後、フォルダ８２に記録した一連の画像を削除するようにしてもよい。
【０１９８】
（Ｄ）
前述の実施形態では、ユーザーにより拡大対象領域の選択及び設定が行われているが、拡大対象領域の選択方法はこれに限られない。例えば、被写体までの距離が異なる境界領域を多く含む領域を検出し、その検出結果に基づいて自動的に基準枠が設定される構成であってもよい。具体的には例えば、焦点検出用ユニット５により１枚の画像において複数点のＤｆ量が検出される。このＤｆ量に基づいて、ボディーマイコン１２により１枚の画像の中でＤｆ量の差が大きい（合焦領域と非合焦領域の差の大きい）領域が検出される。Ｄｆ量の差の大きい領域が自動的に基準枠として設定される。
【０１９９】
この場合、前述のような方法で自動的に基準枠が設定されるため、比較対象として最適な基準画像を迅速に選択することができる。これにより、画像を比較する際の利便性がさらに高まる。
【０２００】
（Ｅ）
前述の実施形態では、交換レンズユニット２に搭載された絞りリング４０を用いて絞り値の変更が行われている。しかし、絞りリング４０の代わりに、カメラ本体１に搭載されたダイヤルやボタンなどの操作部を用いて絞り値を変更できる構成であってもよい。また、カメラ本体１に搭載された操作部は、絞り値を変更するための操作部でなくとも、他の目的で使用される操作部と兼用であってもよい。
【０２０１】
（Ｆ）
前述の実施形態では、液晶モニタ１６に表示する画像は、撮像センサ１１により取得されている。しかし、ファインダ光学系内に配置された別の撮像センサが用いられてもよい。この場合、モニタ撮影モードにおいて、クイックリターンミラー４を光路Ｘ外へ退避させる必要がない。また、クイックリターンミラー４およびファインダ光学系１９などの構成および配置は、前述の構成および配置などに限定されない。
【０２０２】
例えば、撮影した画像を再生させる再生モードにおいて、液晶モニタ１６に異なる絞り値で撮影された画像を左右並べて表示させる構成であってもよい。これにより、ユーザーは絞り値と撮影された画像との関連性を感覚的に知ることができ、次に撮影するときの参考とすることができる。
【０２０３】
（Ｇ）
前述の実施形態では、撮影条件として絞り値を変更させているが、撮影条件はこれに限定されない。例えば、比較する画像が異なるシャッタースピードで撮影された複数の画像であってもよい。
【０２０４】
さらに、複数の画像を連写する際に、絞り値やシャッタースピードなどの撮影条件を変更しない場合も考えられる。この場合であっても、画像比較選択モードにおいて画像比較時の効率を高めることができる。
【０２０５】
（Ｈ）
基準画像と比較画像を並べて表示する際に一方の画像が反転された状態で２枚の画像が並んで表示されるようにしてもよい。これにより、撮影条件が異なる複数の画像の比較が容易となり、利便性が高まる。
【０２０６】
（Ｉ）
前述の実施形態では、画像表示装置および撮像装置として一眼レフカメラを例に説明をしている。しかし、デジタルカメラ２００の実施形態は前述の実施形態に限定されない。例えば、このデジタルカメラ２００は、コンパクトカメラに適用することも可能である。特に、大きなサイズの撮像素子を有するコンパクトカメラについて適用した場合、基準枠として機能するカーソル枠９０の位置および範囲などの選択の自由度が高いため、この画像表示装置および撮像装置は効果的である。
【０２０７】
（Ｊ）
前述の実施形態では、図１６（Ａ）および（Ｂ）の表示例のように比較画像が新たな基準画像として選択されると、比較画像と基準画像の表示位置を入れ替えて、あらたな基準画像が変更前と同じ左側に表示するようにしたが、カーソル枠９０が合わされた画像が基準枠であると判断し、表示位置の変更をしなくてもよい。この場合、ダイヤル７８が回されて比較画像が他の画像に変更される際、カーソル枠９０が合わされていない方の画像が変更されるようにしてもよい。
【０２０８】
前述の実施形態では、基準画像および比較画像は左右に並んでいるが、基準画像および比較画像が上下や斜めに並んでいる場合も考えられる。この場合でも前述の実施形態と同様の効果が得られる。
【０２０９】
（Ｋ）
前述の実施形態では、撮影条件の異なる２つの画像（基準画像、比較画像）を液晶モニタ１６に表示しているが、撮影条件の異なる３つ以上の画像を表示するようにしてもよい。例えば、３枚の画像を比較する場合、基準画像、第１比較画像および第２比較画像が液晶モニタ１６に表示される。
【０２１０】
（Ｌ）
撮影条件としては、前述の絞り値以外に、例えば、撮影日時およびシャッタースピードが考えられる。撮影日時の場合は、撮影日時の古い順あるいは新しい順に選択部１２ｂが画像を選択し、シャッタースピードの場合は、シャッタースピードが速い順あるいは遅い順に選択部１２ｂが画像を選択する。
【０２１１】
（Ｍ）
上記説明に用いた座標軸、方向、各構成の配置等は、画像表示装置および撮像装置の使用状態を限定するものではない。
【０２１２】
（Ｎ）
前述の実施形態では、表示管理部１２ａが表示対象を管理する際に識別情報としてファイル名を用いているが、識別情報はファイル名に限定されない。複数の画像から１枚の画像を特定できる情報であれば、識別情報は他の情報であってもよい。
【０２１３】
（Ｏ）
前述の実施形態では、基準画像および比較画像のうち表示を継続したい画像（評価がよい画像）を選択する構成を採用しているが、他の画像に切り替えたい画像（評価がよくない画像）を選択する構成を採用してもよい。この場合、図１８のステップＳ１２１では、基準画像が選択された場合に、新たに比較画像が基準画像に設定され、比較画像が選択された場合には、ステップＳ１２３にて表示対象の有無が確認される。
【０２１４】
（Ｐ）
前述の実施形態では、基準画像および比較画像を表示対象から除外するステップＳ１２０が基準画像および比較画像を表示するステップＳ１２５の次に実行されるようになっているが、画像を表示対象から除外するステップＳ１２０は表示対象の有無を確認するステップＳ１２３よりも前であって、かつ、比較画像を新たに基準画像に設定するステップＳ１２２よりも前であれば、他の処理順序であってもよい。例えば、ステップＳ１２０はステップＳ１２０Ａ、Ｓ１２１またはＳ１２２の次に実行されてもよい。
【０２１５】
また、前述の実施形態では、設定部１２ｃにより設定された基準画像および比較画像が表示対象から除外されているが、ステップＳ１２４で表示対象から比較画像として選択された画像（選択画像の一例）が表示管理部１２ａにより表示対象から除外されてもよい。この場合、選択部１２ｂにより表示対象から比較画像として選択された画像を表示対象から除外するタイミングは、選択部１２ｂが比較画像を選択するステップＳ１２４が実行されてからステップＳ１２３が実行されるまでの間であれば、どのタイミングでもよい。
【０２１６】
また、表示管理部１２ａが第１操作情報を利用して表示対象を管理する場合も考えられる。具体的には、ステップＳ１２０Ａで選択されていない方の画像が表示対象から除外されてもよい。ここで、第１操作情報とは、十字操作キー７３および決定ボタン７７に入力された情報であり、第１表示領域１６ａまたは第２表示領域１６ｂに表示された画像のうち一方の画像（あるいは、第１表示領域１６ａおよび第２表示領域１６ｂのうち一方の領域）を選択するため情報である。この場合、表示管理部１２ａは、第１表示領域１６ａおよび第２表示領域１６ｂに表示される２枚の画像のうち選択されていない画像（他方の画像）を表示対象から除外する。より詳細には、表示管理部１２ａは選択されていない画像のファイル名を記憶領域から消去する。
【０２１７】
なお、ステップＳ１２０Ａで選択されていない方の画像が表示対象から除外されるタイミングは、ステップＳ１２０Ａが実行されてからステップＳ１２３が実行されるまでの間であれば、どのタイミングであってもよい。
【０２１８】
（Ｑ）
選択部１２ｂにより選択された選択画像は、ステップＳ１２５で液晶モニタ１６に表示されるまでの間は、表示予定の画像として取り扱われる。例えば、ステップＳ１２４にて選択部１２ｂにより選択画像が選択された後に、その選択画像が表示管理部１２ａにより表示対象から除外される場合は、未表示の画像であるにも関わらず表示予定の画像が表示対象から除外されることになる。
【０２１９】
（Ｒ）
「所定のモード」として画像比較選択モードを例に実施形態を説明しているが、所定のモードは前述のモードに限定されない。例えば、重複した比較作業を効果的に削減できるようなモードであれば、前述の技術は適用可能である。
【産業上の利用可能性】
【０２２０】
以上に説明した画像表示装置および撮像装置では、画像を比較する際の効率を高めることができる画像表示装置もしくは撮像装置を提供することが可能である。このため、以上に説明した画像表示装置および撮像装置は画像を表示する装置の分野で有用である。
【符号の説明】
【０２２１】
Ｌ  光学系
Ｘ  光路
２  交換レンズユニット
４  クイックリターンミラー
９  ファインダ接眼窓
１１  撮像センサ（画像取得部の一例）
１２  ボディーマイコン
１２ａ  表示管理部
１２ｂ  選択部
１２ｃ  設定部
１５  画像表示制御部
１６  液晶モニタ（表示部の一例）
１６ａ  第１表示領域
１６ｂ  第２表示領域
１８  画像記録部（記録部の一例）
３０  レリーズボタン
３１  シャッタースピード設定ダイヤル
６９  表示操作部（第１操作部の一例）
７１  撮影／再生モード切り替えレバー
７２  ＭＥＮＵボタン
７４  ＳＥＴボタン（第２操作部の一例）
７５  撮影条件決定部
７６  深度確認モードボタン
７９  拡大モードボタン
２００  デジタルカメラ（撮像装置の一例）
【手続補正３】
【補正対象書類名】図面
【補正対象項目名】全図
【補正方法】変更
【補正の内容】
【図１】
2009116260.tif 000024
【図２】
2009116260.tif 000025
【図３】
2009116260.tif 000026
【図４】
2009116260.tif 000027
【図５】
2009116260.tif 000028
【図６】
2009116260.tif 000029
【図７】
2009116260.tif 000030
【図８】
2009116260.tif 000031
【図９】
2009116260.tif 000032
【図１０】
2009116260.tif 000033
【図１１】
2009116260.tif 000034
【図１２】
2009116260.tif 000035
【図１３】
2009116260.tif 000036
【図１４】
2009116260.tif 000037
【図１５】
2009116260.tif 000038
【図１６】
2009116260.tif 000039
【図１７】
2009116260.tif 000040
【図１８】
2009116260.tif 000041
【図１９】
2009116260.tif 000042
【図２０】
2009116260.tif 000043
【図２１】
2009116260.tif 000044
【国際調査報告】
2009116260.tif 000045
2009116260.tif 000046